(57)【要約】【課題】光変調装置およびこの光変調装置近傍に配置された光学部品の冷却効率を向上できる光学装置を提供する。【解決手段】光源から射出された光束を画像情報に応じて変調する光変調装置と、この光変調装置の前段または後段に配置され、入射される光束の光学変換を行う光学素子と、光変調装置に取り付けられる放熱部材９とを備える光学装置では、放熱部材９は、光変調装置の光束入射側の面または光束射出側の面のいずれかと熱伝導可能に接触し、かつ、該光変調装置への位置決めを行う位置決め部９１と、この位置決め部の端部から光学素子に向かって延出して、該光学素子の光束入射側の面の幅方向端部から起立する側面を覆う延出部９２とを備えている。【選択図】  図１０
2005274744.tif 000002
【特許請求の範囲】
【請求項１】
光源から射出された光束を画像情報に応じて変調する光変調装置と、この光変調装置の前段または後段に配置され、入射される光束の光学変換を行う光学素子と、前記光変調装置に取り付けられる放熱部材とを備える光学装置であって、
前記放熱部材は、前記光変調装置の光束入射側の面または光束射出側の面のいずれかと熱伝導可能に接触し、かつ、該光変調装置への位置決めを行う位置決め部と、この位置決め部の端部から前記光学素子に向かって延出して、該光学素子の光束入射側の面の幅方向端部から起立する側面を覆う延出部とを備えていることを特徴とする光学装置。
【請求項２】
請求項１に記載の光学装置において、
前記放熱部材の位置決め部は、２つ設けられるとともに、前記光変調装置の同一平面の両端部に当接され、
前記放熱部材の延出部は、前記光変調装置の光束入射側の面の幅方向端部から起立する側面を覆うとともに前記光学素子に向かって、それぞれの前記位置決め部から延出していることを特徴とする光学装置。
【請求項３】
請求項２に記載の光学装置において、
前記放熱部材は、それぞれの前記位置決め部を連結する連結部を備え、
前記連結部は、前記光変調装置の上面の形状に合わせて形成されるとともに、該連結部の下面が、該光変調装置の上面に当接されることを特徴とする光学装置。
【請求項４】
請求項１に記載の光学装置において、
前記放熱部材の位置決め部には、前記光変調装置の光束入射面または光束射出面と略一致する位置に、光束が通過する開口部が形成されていることを特徴とする光学装置。
【請求項５】
請求項４に記載の光学装置において、
前記放熱部材の延出部は、前記光変調装置の光束入射側の面の幅方向端部から起立する側面を覆い、
該延出部の下端には、それぞれ近接する方向で、かつ、下方に延出し、前記光変調装置に空気を案内する第１の案内部が形成されていることを特徴とする光学装置。
【請求項６】
請求項４または請求項５に記載の光学装置において、
前記放熱部材の位置決め部の下端には、該位置決め部の形成方向に沿って下方に延出し、前記光変調装置に空気を案内する第２の案内部が形成されていることを特徴とする光学装置。
【請求項７】
光源から射出された光束を画像情報に応じて変調して光学像を形成し、前記光学像を拡大投写するプロジェクタであって、
請求項１〜請求項６のいずれかに記載の光学装置を備えていることを特徴とするプロジェクタ。
【請求項８】
請求項７に記載のプロジェクタにおいて、
前記放熱部材の内側で、前記光変調装置および光学素子の面に沿って冷却空気を送風する冷却手段を備えていることを特徴とするプロジェクタ。
【発明の詳細な説明】
【技術分野】
【０００１】
本発明は、光源から射出された光束を画像情報に応じて変調する光変調装置と、この光変調装置の前段または後段に配置され、入射される光束の光学変換を行う光学素子と、前記光変調装置に取り付けられる放熱部材とを備える光学装置、および、この光学装置を備えるプロジェクタに関する。
【背景技術】
【０００２】
従来、会議、学会、展示会等でのプレゼンテーションや、家庭での映画鑑賞等にプロジェクタが用いられている。このようなプロジェクタは、内部に光源と、この光源から射出された光束を画像情報に変調する液晶パネル等の光変調装置と、入射される光束の光学変換を行う複数の光学部品からなる光学装置を備え、この光学装置により光学像を形成して拡大投写する。
【０００３】
近年、プロジェクタは、高輝度化および小型化が図られ、これに伴い、内部に配置された光学部品の効果的な冷却手段・冷却方法が検討されてきた。特に光変調装置およびこの光変調装置近傍に配置される光学部品である偏光板は、光源から射出された光束が集約して照射されるので発熱しやすく、かつ、熱に弱いため、光学像の形成を安定化させるには、これら光変調装置および偏光板等の光学部品を効果的に冷却する必要があった。
【０００４】
このため、これら光変調装置および偏光板を、下方から送風ファンにより冷却空気を吹きつけることによって冷却する光学装置の構造が知られている（例えば、特許文献１参照）。この光学装置では、光変調装置および偏光板に下方から冷却空気を送風して上方に流すとともに、これら光学部品の冷却に伴って温度が上昇した冷却空気の上昇気流が発生し、冷却空気が下方から上方に流通して、これら光変調装置および偏光板等の光学部品を冷却するように構成されている。
【０００５】
【特許文献１】特開２０００−１０１８６号公報
【発明の開示】
【発明が解決しようとする課題】
【０００６】
しかしながら、特許文献１に記載の光学装置では、下方から送風される冷却空気が光変調装置および偏光板の幅方向から漏出してしまい、これら光変調装置および偏光板の冷却が効率良く行われないという課題があった。すなわち、光変調装置および偏光板を冷却するために送風した冷却空気のうち、これら光変調装置および偏光板を冷却せずに漏出してしまう冷却空気が存在してしまうため、効率の良い冷却が行われないという課題があった。
【０００７】
本発明の目的は、光変調装置およびこの光変調装置近傍に配置された光学部品の冷却効率を向上できる光学装置を提供することである。
【課題を解決するための手段】
【０００８】
本発明の光学装置は、光源から射出された光束を画像情報に応じて変調する光変調装置と、この光変調装置の前段または後段に配置され、入射される光束の光学変換を行う光学素子と、前記光変調装置に取り付けられる放熱部材とを備える光学装置であって、前記放熱部材は、前記光変調装置の光束入射側の面または光束射出側の面のいずれかと熱伝導可能に接触し、かつ、該光変調装置への位置決めを行う位置決め部と、この位置決め部の端部から前記光学素子に向かって延出して、該光学素子の光束入射側の面の幅方向端部から起立する側面を覆う延出部とを備えていることを特徴とする。
【０００９】
ここで、光学素子としては、例えば、偏光板、位相差板、色補正板、または視野角補償板等を挙げることができる。
本発明によれば、放熱部材に設けられた延出部が、光変調装置に接触する位置決め部から、該光変調装置の前段または後段に配置された光学素子の幅方向の側面を覆うので、光変調装置、光学素子および放熱部材により、四方が囲まれた冷却空気の流路を形成することができる。これにより、この冷却流路を流通し、光変調装置、光学素子および放熱部材を冷却する冷却空気の通風性が向上するとともに、該冷却空気を漏らさずに、該光変調装置および光学素子の冷却に供することができる。また、これらの冷却に供された冷却空気は、熱を帯びて上昇する。このため、前述の冷却流路の通風性は一層向上し、これら光変調装置、光学素子および放熱部材を冷却する冷却空気の流通量を多くすることができる。従って、これら光変調装置および光学素子の冷却効率を向上することができる。
また、光変調装置に熱伝導可能に接触する位置決め部を介して、光変調装置で発生した熱が放熱部材に伝導されるので、光変調装置の熱を放熱する放熱面積を拡大することができる。これにより、光変調装置の冷却を効果的に行うことができる。
【００１０】
本発明では、前記放熱部材の位置決め部は、２つ設けられるとともに、前記光変調装置の同一平面の両端部に当接され、前記放熱部材の延出部は、前記光変調装置の光束入射側の面の幅方向端部から起立する側面を覆うとともに前記光学素子に向かって、それぞれの前記位置決め部から延出していることが好ましい。
本発明によれば、放熱部材の位置決め面は、光変調装置の光束入射側の面または光束射出側の面のいずれかの両端部に当接されるので、光変調装置を冷却する冷却空気を該光変調装置に直接送風することができる。また、放熱部材の延出部は、光変調装置の幅方向端部から起立する側面を覆うので、光変調装置、光学素子および放熱部材を冷却する冷却空気は、該側面にも送風される。これにより、冷却空気が冷却する光変調装置の面積を広げることができるので、該光変調装置の冷却を一層効果的に行うことができる。
【００１１】
本発明では、前記放熱部材は、それぞれの前記位置決め部を連結する連結部を備え、前記連結部は、前記光変調装置の上面の形状に合わせて形成されるとともに、該連結部の下面が、該光変調装置の上面に当接されることが好ましい。
本発明によれば、光変調装置の上面形状に合わせて形成され、２つの位置決め部を連結する連結部が、光変調装置の上面に取り付けられるので、放熱部材の光変調装置の取り付けを容易に行うことができる。すなわち、光変調装置の幅方向端部から起立する側面に、延出部を対向させるようにして、光変調装置の上方から該光変調装置の上面に、連結部の下面を当接させるようにすることで、該光変調装置に放熱部材を取り付けることができる。従って、放熱部材の取り付けを容易にすることができ、既存の光変調装置に放熱部材を取り付けることができる。
また、放熱部材の連結部が光変調装置の上面に当接されるので、該光変調装置の放熱面積を拡大できるので、該光変調装置の冷却を一層効果的に行うことができる。
【００１２】
あるいは、本発明では、前記放熱部材の位置決め部には、前記光変調装置の光束入射面または光束射出面と略一致する位置に、光束が通過する開口部が形成されていることが好ましい。
本発明によれば、放熱部材の位置決め部は、光変調装置において、最大の面積を有する光束入射側の面または光束射出側の面から放熱部材に熱が伝導されるので、光変調装置の熱を放熱部材に伝導させやすくすることができる。従って、放熱部材への光変調装置の熱伝導率を向上して、該光変調装置の冷却効率を向上することができる。
【００１３】
本発明では、前記放熱部材の延出部は、前記光変調装置の光束入射側の面の幅方向端部から起立する側面を覆い、該延出部の下端には、それぞれ近接する方向で、かつ、下方に延出し、前記光変調装置に空気を案内する第１の案内部が形成されていることが好ましい。
本発明によれば、放熱部材の延出部が、光変調装置の幅方向端部から起立する側面を覆うので、該側面に、該光変調装置、光学素子および放熱部材を冷却する冷却空気を送風することができる。これにより、冷却空気が送風される光変調装置の面積を拡大することができるので、該光変調装置の冷却を効果的に行うことができる。
また、放熱部材の延出部の下端に、第１の案内部が形成されていることにより、光変調装置の下方から送風され、該光変調装置、光学素子および放熱部材を冷却する冷却空気を、前述の冷却流路に漏れなく流通させることができる。従って、光変調装置および光学素子を冷却する空気の通風性を一層向上することができ、これら光変調装置および光学素子の冷却を効果的に行うことができる。
【００１４】
本発明では、前記放熱部材の位置決め部の下端には、該位置決め部の形成方向に沿って下方に延出し、前記光変調装置に空気を案内する第２の案内部が形成されていることが好ましい。
本発明によれば、前述の第１の案内部が形成された放熱部材と略同じ効果を奏することができる。すなわち、光変調装置、光学素子および放熱部材により形成される冷却流路に、これらを冷却する冷却空気を導入しやすくすることができるので、これら光変調装置、光学素子および放熱部材の冷却効率を向上することができる。
また、放熱部材に第２の案内部と、前述の第１の案内部とが設けられた場合では、これらの作用が相乗的に働くので、光変調装置、光学素子および放熱部材の冷却効率を、なお一層向上することができる。
【００１５】
また、本発明のプロジェクタは、光源から射出された光束を画像情報に応じて変調して光学像を形成し、前記光学像を拡大投写するプロジェクタであって、前述の光学装置を備えていることを特徴とする。
【００１６】
本発明によれば、前述の光学装置と略同じ効果を奏することができる。すなわち、放熱部材を設けたことにより、光学装置に設けられた光変調装置、および、この光変調装置の前段または後段に配置された光学素子の冷却効率を向上させることができるとともに、光学像の形成を安定化させることができる。
【００１７】
本発明では、前記放熱部材の内側で、前記光変調装置および光学素子の面に沿って冷却空気を送風する冷却手段を備えていることが好ましい。
本発明によれば、光変調装置、光学素子および放熱部材の延出部によって形成され、該光変調装置、光学素子および放熱部材の冷却流路に、冷却手段から送風される冷却空気を流通させやすくすることができる。これにより、冷却流路内を流通する冷却空気の流通量を増加させることができ、光変調装置および光学素子の一層効果的な冷却を行うことができる。
また、放熱部材に第１の案内部および／または第２の案内部が形成されている場合は、冷却手段から供給される冷却空気が冷却流路に流通する際の損失量を一層低減することができ、冷却手段から供給される冷却空気の略殆どを、光変調装置および光学素子の冷却に供することができる。従って、光変調装置および光学素子を、より一層効率よく冷却することができる。
【発明を実施するための最良の形態】
【００１８】
〔１．第１実施形態〕
以下、本発明の第１実施形態を図面に基づいて説明する。
（１）外観構成
図１および図２には、本発明の第１実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学系を含む装置本体を内部に収納する外装ケース２および外装ケース２から露出する投写レンズ３を備えている。
投写レンズ３は、後述する光変調装置としての液晶パネルにより光源から射出された光束を画像情報に応じて変調形成された光学像を拡大投写する投写光学系としての機能を具備するものであり、筒状体内部に複数のレンズが収納された組レンズとして構成される。
【００１９】
筐体としての外装ケース２は、投写方向に直交する幅方向の寸法が投写方向寸法よりも大きい幅広の直方体形状をなし、装置本体の上部を覆うアッパーケース２１と、装置本体の下部を覆うロアーケース２２と、装置本体の前面部分を覆うフロントケース２３とを備えている。これら各ケース２１〜２３は、射出成形等によって成形された合成樹脂製の一体成形品である。
【００２０】
アッパーケース２１は、装置本体の上部を覆う上面部２１Ａと、この上面部２１Ａの幅方向端部から略垂下する側面部２１Ｂ、２１Ｃと、上面部２１Ａの後端部から略垂下する背面部２１Ｄとを備えている。
上面部２１Ａの投写方向前側には、プロジェクタ１の起動・調整操作を行うための操作パネル２４が設けられている。この操作パネル２４は、起動スイッチ、画像・音声等の調整スイッチを含む複数のスイッチを備え、プロジェクタ１による投写時には、操作パネル２４中の調整スイッチ等を操作することにより、画質・音量等の調整を行うことができる。
【００２１】
また、上面部２１Ａの操作パネル２４の隣には、複数の孔２４１が形成されていて、この内部には、図示を略したが、音声出力用のスピーカが収納されている。
これら操作パネル２４およびスピーカは、後述する装置本体を構成する制御基板と電気的に接続され、操作パネル２４による操作信号はこの制御基板で処理される。
背面部２１Ｄには、略中央部分に上面部２１Ａ側に切り欠かれた凹部が形成され、この凹部には、後述する制御基板に接続されたインターフェース基板上に設けられたコネクタ群２５が露出する。
【００２２】
ロアーケース２２は、アッパーケース２１との係合面を中心として略対称に構成され、底面部２２Ａ、側面部２２Ｂ、２２Ｃ、および背面部２２Ｄを備えている。そして、側面部２２Ｂ、２２Ｃ、および背面部２２Ｄは、その上端部分でアッパーケース２１の側面部２１Ｂ、２１Ｃ、および背面部２１Ｄの下端部分と係合し、外装ケース２の側面部分および背面部分を構成する。
【００２３】
底面部２２Ａには、プロジェクタ１の後端側略中央に固定脚部２６が設けられているとともに、先端側幅方向両端に調整脚部２７が設けられている。
この調整脚部２７は、底面部２２Ａから面外方向に進退自在に突出する軸状部材から構成され、軸状部材自体は、外装ケース２の内部に収納されている。このような調整脚部２７は、プロジェクタ１の側面部分に設けられる調整ボタン２７１を操作することにより、底面部２２Ａからの進退量を調整することができる。
これにより、プロジェクタ１から射出された投写画像の上下位置を調整し、適切な位置に投写画像を形成することができるようになる。
【００２４】
また、底面部２２Ａには、外装ケース２の内部と連通する開口部２８、２９、３０が形成されている。
開口部２８は、プロジェクタ１の光源を含む光源装置を着脱する部分であり、通常は、ランプカバー２８１によって塞がれている。
開口部２９、３０は、スリット状の開口部として構成される。
開口部２９は、光源ランプから射出された光束を画像情報に応じて変調する光変調装置としての液晶パネルを含む光学装置を冷却するための冷却空気取込用の吸気用開口部である。
開口部３０は、プロジェクタ１の装置本体を構成する電源ユニット、光源駆動回路を冷却するための冷却空気取込用の吸気用開口部である。
尚、開口部２９、３０は、そのスリット状開口部分で常時プロジェクタ１内部と連通しているため、塵埃等が内部に侵入しないように、それぞれの内側に防塵フィルタが設けられている。
【００２５】
さらに、底面部２２Ａには、底面部２２Ａに対して外側にスライド自在に取り付けられた蓋部材３１が設けられていて、この蓋部材３１の内部には、プロジェクタ１を遠隔操作するためのリモートコントローラが収納されるようになっている。尚、図示しないリモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、外装ケース前面および背面に設けられる受光部３１１を介して制御基板で処理される。
【００２６】
背面部２２Ｄには、アッパーケース２１の場合と同様に、略中央部分に底面部２２Ａ側に切り欠かれた凹部が形成され、前記インターフェース基板上に設けられたコネクタ群２５が露出するとともに、端部近傍にもさらに開口部３２が形成されていて、この開口部３２からインレットコネクタ３３が露出している。インレットコネクタ３３は、外部電源からプロジェクタ１に電力を供給する端子であり、後述する電源ユニットと電気的に接続される。
【００２７】
フロントケース２３は、前面部２３Ａおよび上面部２３Ｂを備えて構成され、上面部２３Ｂの投写方向後端側で前述したアッパーケース２１およびロアーケース２２の投写方向先端部分と係合する。
前面部２３Ａには、投写レンズ３を露出させるための略円形状の開口部３４、およびその隣に形成された複数のスリットから構成される開口部３５が形成されている。
【００２８】
開口部３４は、その上面側がさらに開口され、投写レンズ３の鏡筒の一部が露出していて、鏡筒周囲に設けられたズーム・フォーカス調整用のつまみ３Ａ、３Ｂを外部から操作することができるようになっている。
開口部３５は、装置本体を冷却した空気を排出する排気用開口部として構成され、後述するプロジェクタ１の構成部材である光学系、制御系、および電源ユニット・ランプ駆動ユニットを冷却した空気は、この開口部３５からプロジェクタ１の投写方向に排出される。
【００２９】
（２）内部構成
このような外装ケース２の内部には、図３〜図５に示されるように、プロジェクタ１の装置本体が収納されており、この装置本体は、光学ユニット４（図３および図４）、制御基板５（図４）、電源ブロック６（図４）および冷却ユニット７（図３および図４）を備えて構成される。
(2-1)光学ユニット４の構造
光学系としての光学ユニット４は、光源装置から射出された光束を画像情報に応じて変調して光学像を形成し、投写レンズ３を介してスクリーン上に投写画像を形成するものであり、図４に示される光学部品用筐体４０という光学部品用筐体内に、光源装置や、種々の光学部品等を組み込んだものとして構成される。
この光学部品用筐体４０は、部品収納部材４０１、および図４では図示を略した蓋状部材から構成され、それぞれは、射出成形等による合成樹脂製品である。
【００３０】
部品収納部材４０１は、光学部品を収納する底面部４０１Ａ及び側壁部４０１Ｂからなる上部が開口された容器状に形成され、側壁部４０１Ｂには、複数の溝部４０１Ｃが設けられている。この溝部４０１Ｃには、光学ユニット４を構成する種々の光学部品が装着され、これにより各光学部品は、光学部品用筐体４０内に設定された照明光軸上に精度よく配置される。蓋状部材は、この部品収納部材４０１に応じた平面形状を有し、部品収納部材４０１の上面を塞ぐ。
また、部品収納部材４０１の底面部４０１Ａの光束射出側端部には、円形状の開口部が形成された前面壁が設けられていて、この前面壁には、投写レンズ３の基端部分が接合固定される。
【００３１】
このような光学部品用筐体４０内は、図５に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、光学部品用筐体４０内で光源から射出された白色光を三色の色光に分離する空間色分離型の光学ユニットとして構成されている。
インテグレータ照明光学系４１は、光源から射出された光束を照明光軸直交面内における照度を均一にするための光学系であり、光源装置４１１、第１レンズアレイ４１２、第２レンズアレイ４１３、偏光変換素子４１４、および重畳レンズ４１５を備えて構成される。
【００３２】
光源装置４１１は、放射光源としての光源ランプ４１６およびリフレクタ４１７を備え、光源ランプ４１６から射出された放射状の光線をリフレクタ４１７で反射して略平行光線とし、外部へと射出する。本例では、光源ランプ４１６として高圧水銀ランプを採用しているが、これ以外にメタルハライドランプやハロゲンランプを採用することもある。また、本例では、リフレクタ４１７として放物面鏡を採用しているが、楕円面鏡からなるリフレクタの射出面に平行化凹レンズを配置した構成も採用することもできる。
【００３３】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。各小レンズの輪郭形状は、後述する光変調装置４４１の画像形成領域の形状とほぼ相似形をなすように設定される。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光変調装置４４１上に結像させる機能を有する。
【００３４】
偏光変換素子４１４は、第２レンズアレイ４１３からの光を１種類の偏光光に変換するものであり、これにより、光学装置４４での光の利用率が高められている。
具体的に、偏光変換素子４１４によって１種類の偏光光に変換された各部分光束は、重畳レンズ４１５によって最終的に光学装置４４の光変調装置４４１上にほぼ重畳される。偏光光を変調するタイプの光変調装置４４１を用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４における光の利用効率を高めている。なお。このような偏光変換素子４１４は、例えば、特開平８−３０４７３９号公報に紹介されている。
【００３５】
色分離光学系４２は、２枚のダイクロイックミラー４２１、４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
リレー光学系４３は、入射側レンズ４３１と、リレーレンズ４３３と、反射ミラー４３２、４３４とを備え、色分離光学系４２で分離された色光である赤色光を光変調装置４４１Ｒまで導く機能を有している。
【００３６】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の光変調装置４４１Ｂに到達する。このフィールドレンズ４１８は、第２レンズアレイ４１３から射出された各部分光束をその中心軸（主光線）に対して平行な光束に変換する平行化レンズである。他の光変調装置４４１Ｇ、４４１Ｒの光入射側に設けられたフィールドレンズ４１８も同様である。
【００３７】
また、ダイクロイックミラー４２１を透過した赤色光と緑色光のうちで、緑色光は、ダイクロイックミラー４２２によって反射し、フィールドレンズ４１８を通って、緑色用の光変調装置４４１Ｇに到達する。一方、赤色光は、ダイクロイックミラー４２２を透過してリレー光学系４３を通り、さらにフィールドレンズ４１８を通って、赤色光用の光変調装置４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００３８】
光学装置４４は、入射された光束を画像情報に応じて変調してカラー画像を形成するものであり、色分離光学系４２で分離された各色光が入射される３つの偏光板４４２と、各偏光板４４２の後段に配置される光変調装置４４１Ｒ，４４１Ｇ，４４１Ｂと、各光変調装置４４１Ｒ、４４１Ｇ、４４１Ｂの後段に配置される光学変換板４４３と、色合成光学系としてのクロスダイクロイックプリズム４４４とを備える。
【００３９】
光変調装置４４１Ｒ、４４１Ｇ、４４１Ｂは、液晶パネル４４１Ｒ１，４４１Ｇ１，４４１Ｂ１を備えている。この液晶パネル４４１Ｒ１，４４１Ｇ１，４４１Ｂ１は、例えば、ポリシリコンＴＦＴをスイッチング素子として用いたものであり、図５では図示を略したが、対向配置される一対の透明基板内に液晶が密封封入されたパネル本体を、保持枠４４７Ａ，４４７Ｂ（図８参照）内に収納されている。
光学装置４４において、色分離光学系４２で分離された各色光は、これら３つの光変調装置４４１Ｒ、４４１Ｇ、４４１Ｂ、偏光板４４２、および光学変換板４４３によって画像情報に応じて変調されて光学像を形成する。
【００４０】
偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
【００４１】
光学変換板４４３は、第１光学変換板４４３Ａおよび第２光学変換板４４３Ｂとから構成されている。
第１光学変換板４４３Ａは、前述の偏光板４４２と略同様の機能を有し、入射された光束のうち、所定方向の偏光光のみを透過させ、その他の光束を吸収するものである。この第１光学変換板４４３Ａに透過させる偏光光の偏光軸は、偏光板４４２における透過させる偏光光の偏光軸に対して直交するように設定されている。
【００４２】
このような第１光学変換板４４３Ａは、基板４４３Ａ１（図８参照）と、偏光軸が所定方向とされた状態で、この基板４４３Ａ１の光束入射側端面に貼り付けられる偏光膜４４３Ａ２（図８参照）とを備えている。
基板４４３Ａ１は、水晶製の矩形の板材である。この基板４４３Ａ１は、光学軸方向で９．３Ｗ／（ｍ・Ｋ）の熱伝導率を有し、この光学軸と直交する方向で５．４Ｗ（ｍ・Ｋ）の熱伝導率を有する。なお、基板４４３Ａ１は、水晶のほか、サファイアガラス、石英、または蛍石等で構成してもよい。
偏光膜４４３Ａ２は、矩形状のフィルムであり、ポリビニルアルコール（ＰＶＡ）にヨウ素を吸着・分散させてフィルム状とした後に、このフィルム状のものを一定方向に延伸し、その後、延伸されたフィルムの両面に、アセテートセルロース系のフィルムを接着剤で積層させることにより形成されている。
【００４３】
第２光学変換板４４３Ｂは、第１光学変換板４４３Ａと同様に、光変調装置４４１（４４１Ｒ，４４１Ｇ，４４１Ｂ）から射出された光束のうち、所定方向の偏光光のみを透過させ、その他の光束を吸収するとともに、光変調装置４４１（４４１Ｒ，４４１Ｇ，４４１Ｂ）から射出された光束の視野角を拡大する。
【００４４】
この第２光学変換板４４３Ｂは、基板４４３Ｂ１（図８参照）と、この基板４４３Ｂ１の光束射出側端面に貼り付けられる偏光膜４４３Ｂ２（図８参照）と、基板４４３Ｂ１の光束入射側端面に貼り付けられる視野角補償膜４４３Ｂ３（図８参照）とを備えている。
基板４４３Ｂ１は、前述した第１光学変換板４４３Ａの基板４４３Ａ１と同様のものである。
偏光膜４４３Ｂ２は、前述した偏光膜４４３Ａ２と同様のものであるが、光吸収特性が異なる。また、この偏光膜４４３Ｂ２は、その偏光軸が偏光膜４４３Ａ２と平行となる状態で基板４４３Ｂ１の光束射出側端面に貼り付けられる。
視野角補償膜４４３Ｂ３は、光変調装置４４１（４４１Ｒ，４４１Ｇ，４４１Ｂ）で生じる複屈折を補償し、光変調装置４４１（４４１Ｒ，４４１Ｇ，４４１Ｂ）で形成された光学像の視野角が拡大され、かつ投写画像のコントラストが向上する。
【００４５】
クロスダイクロイックプリズム４４４は、光学変換板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
このような光学装置４４は、ユニットとして構成され、前述した光学部品用筐体４０の投写レンズ３の光路前段に配置され、部品収納部材４０１の底面部にねじ止め固定される。なお、光学装置４４のユニット化された構造については、後に詳述する。
【００４６】
(2-2)制御基板５の構造
制御基板５は、図３に示すように、光学ユニット４の上側を覆うように配置され、演算処理装置、液晶パネル駆動用ＩＣが実装されたメイン基板５１と、このメイン基板５１の後端側で接続され、外装ケース２の背面部２１Ｄ、２２Ｄに起立するインターフェース基板５２とを備えている。
インターフェース基板５２の背面側には、前述したコネクタ群２５が実装されていて、コネクタ群２５から入力する画像情報は、このインターフェース基板５２を介してメイン基板５１に出力される。
【００４７】
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して光変調装置４４１Ｒ，４４１Ｇ，４４１Ｂの液晶パネル４４１Ｒ１，４４１Ｇ１，４４１Ｂ１を駆動させ、これにより、画像情報に応じて光変調を行って光学像が形成される。
このようなメイン基板５１は、パンチングメタルを折り曲げ加工した板金５３によって覆われ、この板金５３は、メイン基板５１上の回路素子等によるＥＭＩ（電磁障害）を防止するために設けられている。
【００４８】
(2-3)電源ブロック６の構造
電源ブロック６は、図示を略すが、電源と、この電源の下方に配置されたランプ駆動回路（バラスト）とを含んで構成される。
電源は、前記インレットコネクタに接続された図示しない電源ケーブルを通して外部から供給された電力を、前記ランプ駆動回路や制御基板５等に供給するものである。
ランプ駆動回路は、光学ユニット４を構成する光源ランプ４１６に、電源から供給された電力を供給するものであり、前記光源ランプと電気的に接続されている。このようなランプ駆動回路は、例えば、基板に配線することにより構成できる。
【００４９】
(2-4)冷却ユニット７の構造
図３および図４に示すように、冷却手段としての冷却ユニット７は、投写レンズ３を挟んでそれぞれ対向配置される２つのシロッコファン７１，７２と、ダクト７３および導風板７４（図３および図４では図示省略。図１３および図１４参照）とから構成されている。
シロッコファン７１は、ロアーケース２２の側面部２２Ｃ側に配置され、シロッコファン７２は、投写レンズ３を挟んで、ロアーケース２２の前方側略中央に配置されている。これらシロッコファン７１，７２は、開口部２９を介して吸入したプロジェクタ１外部の空気を、光学装置４４の下方に配置されたダクト７３および導風板７４に送風して、光学装置４４を下方から冷却する。
なお、ダクト７３および導風板７４の構造については、後に詳述する。
【００５０】
（３）光学装置４４の構造
図６および図７には、光学装置４４の斜視図が示されている。詳述すると、図６には、光変調装置４４１Ｂを上方から左手に見た光学装置４４の斜視図が示されており、また、図７には、光変調装置４４１Ｂを下方から右手に見た光学装置４４の斜視図が示されている。また、図８には、光学装置４４の分解斜視図が示されている。なお、図８では、説明を簡略化するために、赤色光が入射する光束入射面の構成のみを示し、他の光束入射面については説明および図示を省略するが、緑色光が入射する光束入射面および青色光が入射する光束入射面においても略同様の構成を備えている。
【００５１】
光学装置４４は、図６〜図８に示すように、クロスダイクロイックプリズム４４４を中心として、該クロスダイクロイックプリズム４４４の光束入射面である３面に、光変調装置４４１Ｒ，４４１Ｇ，４４１Ｂと、光学変換板４４３（図６および図７では図示省略）とが取り付けられる。また、クロスダイクロイックプリズム４４４は、プリズム台座４４５に載置され、クロスダイクロイックプリズム４４４の上面には、放熱ブロック４４６が載置されている。このように、光学装置４４は、これらを含めたユニットとして構成されている。
【００５２】
以下、光学装置４４の構造を、図８〜図１２に基づいて説明する。なお、これら図８〜図１２中に示した矢印Ｘ，Ｙ，Ｚは、それぞれ同一方向を示している。具体的には、Ｚ軸方向は照明光軸方向を示し、Ｘ軸方向は幅方向を示し、Ｙ軸方向は高さ方向を示している。
図８に示すように、クロスダイクロイックプリズム４４４の赤色光入射面には、クロスダイクロイックプリズム４４４に近接する方から順に、第１光学変換板４４３Ａと、熱伝導性の保持部材４４８と、第２光学変換板４４３Ｂと、光変調装置４４１Ｒと、放熱部材９が配置されている。
【００５３】
第１光学変換板４４３Ａは、クロスダイクロイックプリズム４４４の光束入射面に、該第１光学変換板４４３Ａの基板４４３Ａ１の光学軸が、幅方向（Ｘ軸方向）を向くように紫外線硬化性接着剤等により接着固定される。この第１光学変換板４４３Ａの外形寸法は、クロスダイクロイックプリズム４４４の光束入射面の寸法と略同一に形成されている。この第１光学変換板４４３Ａは、保持部材４４８に形成された開口部４４８Ａ１（図９参照）から露出する。
【００５４】
図９には、保持部材４４８の斜視図が示されている。
保持部材４４８は、図８および図９に示すように、照明光軸方向（Ｚ軸方向）から見て略矩形を有し、アルミニウム等の金属平板を板金加工して形成されている。この熱伝導性の保持部材４４８は、図９に示すように、略矩形の板状部４４８Ａと、この板状部４４８Ａの幅方向（Ｘ軸方向）両端部から面外方向に、それぞれが対向するように起立した側面部４４８Ｂと、これら側面部４４８Ｂの高さ方向（Ｙ軸方向）両端から、保持部材４４８の略中央に向かって略垂直に延出する延出部４４８Ｃとを備えている。
【００５５】
板状部４４８Ａの略中央には、略矩形の開口部４４８Ａ１が形成されている。この開口部４４８Ａ１の寸法は、前述の第１光学変換板４４３Ａの基板４４３Ａ１の外形寸法と略同一か、もしくは、若干大きく形成されている。これにより、この開口部４４８Ａ１に第１光学変換板４４３Ａの基板４４３Ａ１が嵌合可能とされている。なお、この開口部４４８Ａ１に第１光学変換板４４３Ａが嵌合された場合に、第１光学変換板４４３Ａの光束入射側の面と、板状部４４８Ａの光束入射側の面とは、同一平面となるように構成されている。すなわち、板状部４４８Ａに対する第１光学変換板４４３Ａの突出量は、板状部４４８Ａの厚さ方向（Ｚ軸方向）の寸法と略同じとされている。
【００５６】
また、板状部４４８Ａの高さ方向両端部は、貼付部４４８Ａ２，４４８Ａ４が形成されている。これら貼付部４４８Ａ２，４４８Ａ４は、クロスダイクロイックプリズム４４４の上下に配置される放熱ブロック４４６およびプリズム台座４４５に、板状部４４８Ａを熱伝導可能に貼り付ける部分である。これら貼付部４４８Ａ２の上端および貼付部４４８Ａ４の下端の略中央には、開口部４４８Ａ１に向けて、熱間挙動差吸収用の切り欠き４４８Ａ３，４４８Ａ５が形成されている。
【００５７】
側面部４４８Ｂには、それぞれの側面部４４８Ｂが対向する面に、平面視略矩形の突出部４４８Ｂ１が２つずつ形成されている。この突出部４４８Ｂ１は、高さ方向における両端から延出して形成された延出部４４８Ｃよりも中心よりに形成されている。この突出部４４８Ｂ１の光束入射側の面には、延出部４４８Ｃに取り付けられる第２光学変換板４４３Ｂの光束射出側の面が当接される。これにより、保持部材４４８における第２光学変換板４４３Ｂの照明光軸方向（Ｚ軸方向）の位置決めがされる。
【００５８】
延出部４４８Ｃは、照明光軸方向から保持部材４４８を見た場合の四隅部分にそれぞれ形成されている。
これら延出部４４８Ｃに形成された面のうち、高さ方向（Ｙ軸方向）で互いに対向する面は、第２光学変換板４４３Ｂの基板４４３Ｂ１が取り付けられる基板取付面４４８Ｃ１である。この基板取付面４４８Ｃ１には、第２光学変換板４４３Ｂの基板４４３Ｂ１（図８）の高さ方向端部から起立する面が、熱伝導可能に接着固定される。ここで、板状部４４８Ａの開口部４４８Ａ１に嵌合された第１光学変換板４４３Ａにおける偏光膜４４３Ａ２の偏光軸と、延出部４４８Ｃの基板取付面４４８Ｃ１に嵌合された第２光学変換板４４３Ｂにおける偏光膜４４３Ｂ２の偏光軸とが平行となるように、第２光学変換板４４３Ｂが取り付けられる。また、これら偏光膜４４３Ａ２，４４３Ｂ２の偏光軸は、前述の偏光板４４２における偏光膜の偏光軸と直交するように、光学変換板４４３は配置される。
また、延出部４４８Ｃの光束入射側の面４４８Ｃ２には、光変調装置４４１Ｒ（４４１Ｇ，４４１Ｂ）を位置決めおよび保持するためのピンスペーサ４４９（図８参照）が、熱伝導可能に接着固定される。
【００５９】
このような保持部材４４８によれば、第１光学変換板４４３Ａおよび第２光学変換板４４３Ｂで発生した熱が、該保持部材４４８に伝導され放熱されるので、光学変換板４４３の冷却効率を向上できる。
また、板状部４４８Ａの開口部４４８Ａ１に嵌合される第１光学変換板４４３Ａと、延出部４４８Ｃに保持される第２光学変換板４４３Ｂとの間には、所定の間隔が生じており、また、この空間の幅方向は、保持部材４４８の側面部４４８Ｂによって囲まれる。これによれば、第１光学変換板４４３Ａの光束入射面および第２光学変換板４４３Ｂの光束射出面を冷却する冷却空気の筒状の流路を形成することができる。従って、これら第１光学変換板４４３Ａおよび第２光学変換板４４３Ｂを効果的に冷却することができる。
なお、保持部材４４８は、アルミニウムのほか、電気亜鉛メッキ鋼板等にて構成してもよく、射出成形等による成形により形成される熱伝導率の高い合成樹脂、インバー等の鉄−ニッケル合金、マグネシウム合金、アルミニウム合金等の成形品から構成してもよい。
【００６０】
ピンスペーサ４４９は、図８に示すように、熱伝導性の合成樹脂によって構成された棒状部材である。このピンスペーサ４４９は、前述のように、保持部材４４８に形成された延出部４４８Ｃの光束入射側の面４４８Ｃ２に取り付けられる。また、このピンスペーサ４４９は、光変調装置４４１Ｒ（４４１Ｇ，４４１Ｂ）に形成された孔４４７Ｂ３に挿通され、該光変調装置４４１を保持する。
なお、ピンスペーサ４４９は、熱伝導性の合成樹脂に限らず、光学ガラス、水晶、サファイア、石英、または蛍石等で構成してもよい。また、金属等の熱伝導率の高い部材で構成してもよい。
【００６１】
光変調装置４４１Ｒ（４４１Ｇ，４４１Ｂ）は、光変調素子としての液晶パネル４４１Ｒ１（４４１Ｇ１，４４１Ｂ１）と、この液晶パネル４４１Ｒ１（４４１Ｇ１，４４１Ｂ１）を光束入射側および光束射出側から挟持する保持枠４４７とを備えている。
液晶パネル４４１Ｒ１（４４１Ｇ１，４４１Ｂ１）は、前述のように、入射光束を画像情報に応じて変調するものである。この液晶パネル４４１Ｒ１には、上方（Ｙ軸方向）に延出する制御用ケーブル４４１Ｒ２（４４１Ｇ２，４４１Ｂ２は図６および図７参照）が設けられており、該制御用ケーブル４４１Ｒ２（４４１Ｇ２，４４１Ｂ２）を介して、前述の制御基板５に接続される。
【００６２】
保持枠４４７は、液晶パネル４４１Ｒ１（４４１Ｇ１，４４１Ｂ１）を光束入射側から保持する第１保持枠４４７Ａと、光束射出側から保持する第２保持枠４４７Ｂとから構成されている。
第１保持枠４４７Ａは、照明光軸方向（Ｚ軸方向）から見て略凸型に形成されるとともに、断面略コ字状に形成され、内部に形成された図示しない収納部に、液晶パネル４４１Ｒ１（４４１Ｇ１，４４１Ｂ１）の光束入射側の面を収納する部材である。
この第１保持枠４４７Ａには、略矩形の開口部４４７Ａ１と、フィン４４７Ａ２と、フック４４７Ａ３とが形成されている。
【００６３】
開口部４４７Ａ１は、第１保持枠４４７Ａの略中央に形成されている。この開口部４４７Ａ１の形成位置は、液晶パネル４４１Ｒ１（４４１Ｇ１，４４１Ｂ１）のパネル面に対応しており、この開口部４４７Ａ１から、液晶パネル４４１Ｒ１（４４１Ｇ１，４４１Ｂ１）が露出する。液晶パネル４４１Ｒ１（４４１Ｇ１，４４１Ｂ１）には、前述の色分離光学系で分離した赤色光（緑色光，青色光）が開口部４４７Ａ１を介して入射されるので、この部分が画像形成領域となる。
【００６４】
フィン４４７Ａ２は、開口部４４７Ａ１の上方略中央に、該開口部４４７Ａ１から上方に向かって凹状に複数形成されている。このフィン４４７Ａ２は、内部に収納する液晶パネル４４１Ｒ１（４４１Ｇ１，４４１Ｂ１）で発生した熱が、第１保持枠４４７Ａに伝導された際に、空気との接触面積を大きくして、放熱するための部分である。
【００６５】
フック４４７Ａ３は、第１保持枠４４７Ａの光束入射側の面における幅方向（Ｘ軸方向）両端部から、照明光軸方向（Ｚ軸方向）に起立する面の略中央に形成されている。このフック４４７Ａ３には、略中央に凸型の突出部が形成されており、この突出部が第２保持枠４４７Ｂに形成されたフック嵌合部４４７Ｂ２に嵌合される。
【００６６】
第２保持枠４４７Ｂは、平面視略矩形状に形成されている。この第２保持枠４４７Ｂには、開口部４４７Ｂ１と、フック嵌合部４４７Ｂ２と、孔４４７Ｂ３とが形成されている。
開口部４４７Ｂ１は、第１保持枠４４７Ａと同様に、第２保持枠４４７Ｂの略中央で、光変調装置４４１（４４１Ｇ，４４１Ｂ）の液晶パネル４４１Ｒ１（４４１Ｇ１，４４１Ｂ１）のパネル面に対応する位置に形成されている。
フック嵌合部４４７Ｂ２は、第２保持枠４４７Ｂの幅方向（Ｘ軸方向）両端部の略中央部から照明光軸方向（Ｚ軸方向）とは反対方向に起立して形成されている。このフック嵌合部４４７Ｂ２の略中央には、矩形状の開口が形成されており、この開口に前述の第１保持枠４４７Ａのフック４４７Ａ３に形成された突出部が嵌合され、第１保持枠４４７Ａおよび第２保持枠４４７Ｂを固定する。
孔４４７Ｂ３は、第２保持枠４４７Ｂの照明光軸方向から見て四隅部分に形成されている。これらの孔４４７Ｂ３は、その内周縁が照明光軸方向（Ｚ軸方向）とは反対方向に向けて突出するように形成されたバーリング孔である。これら孔４４７Ｂ３にピンスペーサ４４９が挿通され、位置調整がされた後に、第２保持枠４４７Ｂは、接着剤等によりピンスペーサ４４９に固定される。
【００６７】
このような光変調装置４４１Ｒにより、液晶パネル４４１Ｒ１（４４１Ｇ１，４４１Ｂ１）で発生した熱が、第１保持枠４４７Ａおよび第２保持枠４４７Ｂから構成される保持枠４４７に伝導される。また、保持枠４４７に伝導された熱は、保持枠４４７で放熱されるとともに、ピンスペーサ４４９を介して保持部材４４８に伝導されて放熱される。これにより、液晶パネル４４１Ｒ１（４４１Ｇ１，４４１Ｂ１）の熱を放熱する面積を拡大することができる。従って、該液晶パネル４４１Ｒ１（４４１Ｇ１，４４１Ｂ１）を効果的に冷却することができ、破損、劣化等を抑えて製品寿命を延ばすことができるとともに、光学像形成の安定化を図ることができる。
【００６８】
なお、前述の保持枠４４７は、成形または板金加工により形成できる。また、その材料としては、熱伝導率の高い部材、例えば、インバーおよび４２Ｎｉ−Ｆｅ等のニッケル−鉄合金、マグネシウム合金、アルミニウム合金、炭素鋼、ステンレス等の金属、または、カーボンファイバー、カーボンナノチューブ等のカーボンフィラーを混入させた樹脂（ポリカーボネート、ポリフェニレンサルファイド、液晶樹脂等）等を採用できる。
【００６９】
図１０には、放熱部材９の斜視図が示されている。
放熱部材９は、前述の光変調装置４４１Ｒ（４４１Ｇ，４４１Ｂ）に取り付けられて、該光変調装置４４１Ｒ（４４１Ｇ，４４１Ｂ）で発生した熱を放熱するとともに、該光変調装置４４１Ｒ（４４１Ｇ，４４１Ｂ）および光学素子としての光学変換板４４３の幅方向（Ｘ軸方向）端部から起立する側面を覆って、これらを冷却する空気の流路を形成するアルミニウム製部材である。
なお、放熱部材９は、アルミニウムに限らず、前述の光変調装置４４１Ｒ（４４１Ｇ，４４１Ｂ）の保持枠４４７と同じ材料を採用して形成することができる。
【００７０】
放熱部材９は、図８および図１０に示すように、光変調装置４４１Ｒの保持枠４４７の外形形状に合わせて、照明光軸方向（Ｚ軸方向）から見て略凸型に、また、高さ方向（Ｙ軸方向）から見て略コ字状に形成されている。
放熱部材９は、前述の保持枠４４７を構成する第１保持枠４４７Ａの光束入射側の面および下面に当接されるとともに、該第１保持枠４４７Ａに対する放熱部材９の位置決めを行う２つの略Ｌ字状の位置決め部９１と、この位置決め部９１の幅方向（Ｘ軸方向）端部から照明光軸方向（Ｚ軸方向）に延出する延出部９２と、これら延出部９２を連結し、光変調装置４４１Ｒ（４４１Ｇ，４４１Ｂ）の上面に当接される連結部９３とを備えている。
【００７１】
位置決め部９１は、高さ方向の断面略Ｌ字状に形成されており、それぞれ第１保持枠４４７Ａの両端部に取り付けられる。この位置決め部９１の光束射出側の面および高さ方向（Ｙ軸方向）を向く面は、第１保持枠４４７Ａに対する放熱部材９の照明光軸方向（Ｚ軸方向）および高さ方向の位置決めをする位置決め面９１Ａである。また、この位置決め面９１Ａは、第１保持枠４４７Ａに当接されることとなるので、光変調装置４４１Ｒ（４４１Ｇ，４４１Ｂ）で発生した熱が、この位置決め面９１Ａを介して放熱部材９に伝導される。
【００７２】
延出部９２は、前述の冷却ユニット７により光変調装置４４１Ｒ（４４１Ｇ，４４１Ｂ）の下方から送風された冷却空気の流路を形成する部分であり、位置決め部９１から、光学変換板４４３および保持部材４４８の幅方向端部から起立する側面を覆うように延出している。この延出部９２は、断面略Ｓ字状に形成されており、延出部９２の略中間部分が外側に曲折し、その先端部分から照明光軸方向に略平行に延出している。すなわち、それぞれの位置決め部９１から延出した延出部９２の延出方向先端部における放熱部材９の幅方向の寸法は、延出方向基端部における放熱部材９の幅方向の寸法より大きいとされている。
また、延出部９２の高さ方向の寸法は、位置決め部９１の高さ方向の寸法より大きく形成されており、さらに延出部９２の曲折部分から延出方向先端部にかけては、高さ方向（Ｙ軸方向）に延出している。
このような延出部９２により、確実に光学変換板４４３および保持部材４４８の側面を覆うことができ、冷却空気の流路を形成することができる。
【００７３】
連結部９３は、前述のように、それぞれの位置決め部９１から延出した延出部９２を連結する部分であり、これにより放熱部材９が一体化される。
この連結部９３は、光変調装置４４１Ｒ（４４１Ｇ，４４１Ｂ）の第１保持枠４４７Ａ上面と略同じ形状に形成されており、連結部９３の下面が第１保持枠４４７Ａの上面に当接される。これにより、第１保持枠４４７Ａに対する放熱部材９の高さ方向の位置決めが、放熱部材９の自重によりなされる。
【００７４】
連結部９３には、開口部９３１と、切り欠き９３２とが形成されている。
開口部９３１は、連結部９３の略中央に、幅方向に沿って形成されている。この開口部９３１には、前述の液晶パネル４４１Ｒ１（４４１Ｇ１，４４１Ｂ１）に設けられた制御用ケーブル４４１Ｒ２（４４１Ｇ２，４４１Ｂ２）が挿通される。
切り欠き９３２は、連結部９３の光束入射側から開口部９３１に向かって形成されている。この切り欠き９３２は、前述の第１保持枠４４７Ａのフィン４４７Ａ２に対応する位置に形成され、フィン４４７Ａ２を冷却し、熱を帯びて上昇する空気の流れを妨げないようにしている。
【００７５】
図１１には、プリズム台座４４５の斜視図が示されている。このうち、図１１（Ａ）には、プリズム台座４４５を光束射出側の上方から見た斜視図が示されており、図１１（Ｂ）には、プリズム台座４４５を光束入射側の下方から見た斜視図が示されている。
プリズム台座４４５は、前述のように、クロスダイクロイックプリズム４４４を支持するとともに、投写レンズ３を支持する部材である。図８および図１１（Ａ）（Ｂ）に示すように、プリズム台座４４５は、幅方向（Ｘ軸方向）から見て略Ｌ字状に形成されている。
【００７６】
プリズム台座４４５には、クロスダイクロイックプリズム４４４が載置される載置部４４５１と、投写レンズ３を支持するレンズ支持部４４５２とが形成されている。
載置部４４５１は、平面視略矩形状を有しており、マグネシウムにより形成されている。この載置部４４５１には、上面に、クロスダイクロイックプリズム４４４が載置される第１載置面４４５１１と、光学変換板４４３の第１光学変換板４４３Ａが載置される第２載置面４４５１２と、保持部材４４８が取り付けられる取付面４４５１３とが形成されている。
【００７７】
第１載置面４４５１１は、載置部４４５１の略中央に略矩形状に形成されている。この第１載置面４４５１１の略中央部分には、平面視略円形状で、中央に向かうにつれて高さ寸法が大きくなる円形状部分（図示省略）が形成されている。この円形状部分にクロスダイクロイックプリズム４４４が載置される。これにより、第１載置面４４５１１にクロスダイクロイックプリズム４４４が載置される際に、該クロスダイクロイックプリズム４４４の入射光束に対する傾きを容易に調整することができる。
【００７８】
第２載置面４４５１２は、載置部４４５１の外縁部分に形成されている。この第２載置面４４５１２には、前述のように、光束射出側（Ｚ軸方向先端側）を除く三方に、第１光学変換板４４３Ａが熱伝導可能に載置される。
取付面４４５１３は、載置部４４５１の外縁端部から略垂下して形成された面である。この取付面４４５１３には、前述の保持部材４４８の貼付部４４８Ａ４が熱伝導可能に接着固定される。
【００７９】
レンズ支持部４４５２は、載置部４４５１の光束射出側（Ｚ軸方向先端側）から略垂直に起立する部分であり、略矩形状に形成されている。
このレンズ支持部４４５２は、略中央に形成された略円形の開口部４４５２１と、レンズ支持部４４５２の光束射出側の面４４５２Ａに形成された突起部４４５２２および孔４４５２３と、レンズ支持部４４５２の幅方向（Ｘ軸方向）に対向する面から面外方向に突出する突出部４４５２４とを備えている。
【００８０】
開口部４４５２１は、クロスダイクロイックプリズム４４４で合成された光学像が透過する部分であり、また、投写レンズ３の外周部分が接続される部分である。この開口部４４５２１の内径寸法は、投写レンズ３の外径寸法と略一致するように形成されている。
突起部４４５２２および孔４４５２３は、投写レンズ３に形成されたフランジ部３Ｃ（図７参照）と係合して、投写レンズ３を位置決め固定する部分である。このうち、突起部４４５２２は、面４４５２Ａから面外方向に突出して形成され、投写レンズ３のフランジ部３Ｃに形成された図示しない孔に嵌合する。また、孔４４５２３は、レンズ支持部４４５２を貫通するように形成されており、フランジ部３Ｃに形成された図示しない突起が嵌合される。
突出部４４５２４は、レンズ支持部４４５２の幅方向に対向するそれぞれの側面の上方に形成されている。この突出部４４５２４は、光束射出側から見て、略三角形状を有し、下面に突起部４４５３が形成されている。これら突起部４４５３は、ロアーケース２２に形成された図示しない凹部に嵌合され、プリズム台座４４５を固定する。なお、このような突起部４４５３は、前述の載置部４４５１の底面にも形成されている。
【００８１】
なお、このようなプリズム台座４４５の材料としては、マグネシウムだけでなく、熱伝導性の高いアルミニウム等の金属で形成してもよく、また、熱伝導性の合成樹脂等により形成してもよい。
【００８２】
図１２には、放熱ブロック４４６の斜視図が示されている。このうち、図１２（Ａ）には、放熱ブロック４４６を光束入射側の上方から見た斜視図が示されており、図１２（Ｂ）には、光束入射側の下方から見た斜視図が示されている。
放熱ブロック４４６は、第１光学変換板４４３Ａの熱、および、保持部材４４８を介して伝導される熱を放熱して冷却する部材である。この放熱ブロック４４６は、前述のように、クロスダイクロイックプリズム４４４の上面に載置される。
【００８３】
放熱ブロック４４６は、平面視略矩形で、上方（Ｙ軸方向）に向かって外形寸法が小さくなるように傾斜した台形形状に形成されたマグネシウム製部材である。この放熱ブロック４４６の底面の寸法は、クロスダイクロイックプリズム４４４の上面の寸法より大きく形成されている。
なお、放熱ブロック４４６は、マグネシウム以外にも、前述の保持枠４４７で例示した材料を採用することができる。
【００８４】
放熱ブロック４４６には、図１２（Ａ）（Ｂ）に示すように、複数の突出部４４６１と、第１当接面４４６２と、第２当接面４４６３と、取付面４４６４とが形成されている。
突出部４４６１は、放熱ブロック４４６に伝導された熱の放熱面積を広げるための放熱用の突起で、本実施形態では１６個形成されている。これら突出部４４６１は、放熱ブロック４４６の上面から面外方向に突出して形成されている。
取付面４４６４は、放熱ブロック４４６の上面から略垂下する光束入射側の面であり、前述の保持部材４４８の貼付部４４８Ａ２が熱伝導可能に接着固定される。
【００８５】
第１当接面４４６２および第２当接面４４６３は、放熱ブロック４４６の底面に形成されている。この底面は、図１２（Ｂ）に示すように、内側に凹んだ形状を有し、この凹部に第１当接面４４６２が形成され、底面の外縁部分のうちの光束入射側の三面に第２当接面４４６３が形成されている。
第１当接面４４６２は、クロスダイクロイックプリズム４４４の上面が当接される面であり、第２当接面４４６３は、第１光学変換板４４３Ａの上面が当接される面である。
【００８６】
このようなプリズム台座４４５および放熱ブロック４４６により、クロスダイクロイックプリズム４４４および第１光学変換板４４３Ａで発生して熱が伝導されて放熱されるほか、保持部材４４８およびピンスペーサ４４９を介して、第２光学変換板４４３Ｂおよび光変調装置４４１Ｒ（４４１Ｇ，４４１Ｂ）の熱が伝導されて放熱されるので、これらの光学部品の熱を効率よく冷却することができる。
【００８７】
以下に、光学装置４４の組み立てについて説明する。
クロスダイクロイックプリズム４４４の３つの光束入射面に、光学変換板４４３のうち、第１光学変換板４４３Ａを紫外線硬化性の接着剤等により貼り付ける。
この後、クロスダイクロイックプリズム４４４の底面および第１光学変換板４４３Ａの下面が、プリズム台座４４５（図８および図１１）の第１載置面４４５１１および第２載置面４４５１２に当接されるように、プリズム台座４４５の載置部４４５１に、クロスダイクロイックプリズム４４４および第１光学変換板４４３Ａを載置する。
また、クロスダイクロイックプリズム４４４の上面および第１光学変換板４４３Ａの上面に、放熱ブロック４４６（図８および図１２）の第１当接面４４６２および第２当接面４４６３が当接するように、放熱ブロック４４６を載置する。
【００８８】
次に、プリズム台座４４５および放熱ブロック４４６に取り付ける保持部材４４８に、第２光学変換板４４３Ｂを取り付ける。第２光学変換板４４３Ｂは、保持部材４４８に形成された延出部４４８Ｃの基板取付面４４８Ｃ１に取り付けられる。
この後、第２光学変換板４４３Ｂを保持する保持部材４４８（図９）を、プリズム台座４４５および放熱ブロック４４６に取り付ける。保持部材４４８は、該保持部材４４８の貼付部４４８Ａ２が放熱ブロック４４６の取付面４４６４に当接されるように、かつ、貼付部４４８Ａ４がプリズム台座４４５の取付面４４５１３に当接されるように、保持部材４４８を熱伝導性接着剤等により固定する。また、保持部材４４８は、該保持部材４４８に形成された開口部４４８Ａ１から、第１光学変換板４４３Ａの基板４４３Ａ１が露出するように配置され、第１光学変換板４４３Ａおよび第２光学変換板４４３Ｂの偏光軸が、前述の関係となるように配置される。
【００８９】
次に、光変調装置４４１Ｒ（４４１Ｇ，４４１Ｂ）に、放熱部材９を取り付ける。この際、光変調装置４４１Ｒ（４４１Ｇ，４４１Ｂ）に設けられた制御用ケーブル４４１Ｒ２（４４１Ｇ２，４４１Ｂ２）を、放熱部材９の連結部９３に形成された開口部９３１に挿通させる。この後、連結部９３の下面を第１保持枠４４７Ａの上面に当接させるとともに、位置決め面９１Ａを第１保持枠４４７Ａの照明光軸方向（Ｚ面方向）に対向する面に当接させる。これにより、放熱部材９が光変調装置４４１Ｒ（４４１Ｇ，４４１Ｂ）に取り付けられ、延出部９２が、光束射出側に延出する。
【００９０】
次に、放熱部材９が取り付けられた光変調装置４４１Ｒ（４４１Ｇ，４４１Ｂ）を、保持部材４４８に、ピンスペーサ４４９を介して取り付ける。ピンスペーサ４４９は、保持部材４４８の光束入射側の面４４８Ｃ２に、面外方向に突出するように接着固定される。このピンスペーサ４４９を、光変調装置４４１Ｒ（４４１Ｇ，４４１Ｂ）の第２保持枠４４７Ｂに形成された孔４４７Ｂ３に挿通させるようにして、光変調装置４４１Ｒ（４４１Ｇ，４４１Ｂ）を取り付け、ピンスペーサ４４９の先端に図示しないキャップを取り付ける。この際、光変調装置４４１Ｒ（４４１Ｇ，４４１Ｂ）と、光路上後段に位置する第２光学変換板４４３Ｂとの距離の調整、および、光変調装置４４１Ｒ（４４１Ｇ，４４１Ｂ）から射出される光束の光軸と第２光学変換板４４３Ｂに入射する光束の光軸との一致の調整等は、適宜行う。
以上のようにして、光学装置４４がユニットとして形成される。
なお、ピンスペーサ４４９は、保持部材４４８に対する別部材として形成したが、保持部材４４８に一体的に形成してもよい。また、放熱部材９の光変調装置４４１Ｒ（４４１Ｇ，４４１Ｂ）に対する取り付けは、該光変調装置を、ピンスペーサ４４９を介して保持部材４４８に取り付けた後に行ってもよい。
【００９１】
このような光学装置４４によれば、光変調装置４４１Ｒ（４４１Ｇ，４４１Ｂ）の液晶パネル４４１Ｒ１（４４１Ｇ１，４４１Ｂ１）で発生した熱は、保持枠４４７を介して放熱部材９に伝導されて放熱される。また、この光変調装置４４１Ｒ（４４１Ｇ，４４１Ｂ）の熱は、ピンスペーサ４４９を介して、保持部材４４８に伝導される。この保持部材４４８は、プリズム台座４４５および放熱ブロック４４６に接続されており、該保持部材４４８に取り付けられた第２光学変換板４４３Ｂで発生した熱とともに、光変調装置４４１Ｒ（４４１Ｇ，４４１Ｂ）の熱をプリズム台座４４５および放熱ブロック４４６に伝導させる。さらに、クロスダイクロイックプリズム４４４および第１光学変換板４４３Ａで発生した熱は、直接、プリズム台座４４５および放熱ブロック４４６に伝導されることとなる。従って、これら光学部品４４１，４４３，４４４の放熱面積を広げることができ、該光学部品４４１，４４３，４４４を効率良く冷却することができる。
【００９２】
（４）光学装置４４の冷却流路
図１３には、光学装置４４に冷却空気を送風するダクト７３を下方からみた斜視図が示されている。また、図１４には、ダクト７３および導風板７４を上方から見た斜視図が示されている。
前述のように、冷却ユニット７を構成するダクト７３および７４は、シロッコファン７１，７２から送風されたプロジェクタ１外部の空気を、光学装置４４に送風する流路を形成する。これらダクト７３および導風板７４は、光学装置４４の下方に配置される。
【００９３】
ダクト７３は、図１３および図１４に示すように、平面視略コ字状に形成された合成樹脂製部材である。このダクト７３には、コ字状先端部分に開口部７３１，７３２と、内部に複数のリブ７３Ａ，７３Ｂ，７３Ｃが形成されている。
開口部７３１，７３２は、前述のシロッコファン７１，７２の送風口と連接される。
リブ７３Ａ，７３Ｂ，７３Ｃは、ダクト７３を補強するとともに、開口部７３１，７３２から送風された冷却空気を分流させる部分である。
このうち、リブ７３Ａは、図１４に示すように、開口部７３１から流通する冷却空気を、光学装置４４の光変調装置４４１Ｇの下方に流通させ、光変調装置４４１Ｂ，４４１Ｒの下方に流通しないように分流させている。
逆に、リブ７３Ｂは、開口部７３２から流通する冷却空気を、光変調装置４４１Ｂ，４４１Ｒの下方、および、光変調装置４４１Ｇ近傍から前述の部品収納部材４０１内に導風させ、光変調装置４４１Ｇの下方に流通しないように分流させている。
リブ７３Ｃは、リブ７３Ａにより光変調装置４４１Ｇ下方に流通される空気を、光変調装置４４１Ｇの下方および該光変調装置４４１Ｇの後段に配置された光学変換板４４３の下方に流通させるように分流する。
【００９４】
導風板７４は、合成樹脂製の一体成形品として形成されている。この導風板７４は、ダクト７３の上方に配置され、該導風板７４の上方には、光学装置４４のプリズム台座４４５が載置される。なお、合成樹脂によらず、アルミニウム、マグネシウムおよびチタン等の金属によって成形してもよい。
導風板７４には、それぞれ開口７４Ｒ１，７４Ｇ１，７４Ｂ１，７４Ａ１を有する導風部７４Ｂ，７４Ｇ，７４Ｒ，７４Ａが形成されている。このうち、導風部７４Ｒ，７４Ｇ，７４Ｂは、それぞれ光変調装置４４１Ｒ，４４１Ｇ，４４１Ｂに対応する位置に形成されている。また、導風部７４Ａは、導風部７４Ｇから導風部７４Ｂ寄りの位置に形成されている。
【００９５】
導風部７４Ｒ，７４Ｇ，７４Ｂは、ダクト７３内を流通する冷却空気を、光学装置４４の光変調装置４４１Ｒ，４４１Ｇ，４４１Ｂおよび光学変換板４４３に導風する部分である。
このうち、導風部７４Ｂは、開口部７４Ｂ１のほかに、該開口部７４Ｂ１の周囲を囲むように上方に突出する上部導風部７４Ｂ２と、下方に延出する下部導風部７４Ｂ３，７４Ｂ４とを備えている。
【００９６】
下部導風部７４Ｂ３，７４Ｂ４は、開口部７３２からダクト７３内を流通する冷却空気の流通方向に対向する方向に開口する略コ字状に延出して形成されている。
下部導風部７４Ｂ３は、開口部７４Ｂ１を２つの開口７４Ｂ１１，７４Ｂ１２に分け、開口７４Ｂ１１を介して光変調装置４４１Ｂに冷却空気を導風する。この下部導風部７４Ｂ３により分けられた開口７４Ｂ１１，７４Ｂ１２は、それぞれ、光変調装置４４１Ｂの光束入射側および光束射出側の下方に位置する。
下部導風部７４Ｂ４は、開口部７４Ｂ１の端部から、断面コ字状に下方に延出して形成され、開口７４Ｂ１２を介して光学変換板４４３に冷却空気を導風する。この下部導風部７４Ｂ４の下方への延出量は、下部導風部７４Ｂ３の延出量よりも大きいとされている。これにより、ダクト７３の開口部７３２に対して、下部導風部７４Ｂ３より遠方に形成された下部導風部７４Ｂ４においても、確実に光学変換板４４３に冷却空気を導風することができる。
【００９７】
導風部７４Ｒは、導風部７４Ｂと同様に、開口部７４Ｒ１を囲むように起立する上部導風部７４Ｒ２と、光学変換板４４３に導風する下部導風部７４Ｒ４とが形成されている。また、開口部７４Ｒ１は、下部導風部７４Ｒ４により、光変調装置４４１Ｒの下方に冷却空気を導風する開口７４Ｒ１２と、光学変換板４４３の下方に冷却空気を導風する開口７４Ｒ１１とに分けられる。
また、導風部７４Ｒは、導風部７４Ｂとは異なり、光変調装置４４１Ｒに冷却空気を導風する下部導風部は形成されていない。これは、開口部７３２からダクト７３内を流通する冷却空気が、下部導風部７４Ｒ４を通過した場合、リブ７３Ａによって、ダクト７３内の流路が遮られる。このため、冷却空気は、導風部７４Ｒの開口部７４Ｒ１に流れることとなり、光変調装置４４１Ｒに自然に導風されるためである。なお、ダクト７３の形状および冷却空気の流通量等により、導風部７４Ｂの下部導風部７４Ｂ３と同様の下部導風部を設けてもよい。
【００９８】
導風部７４Ｇは、開口部７４Ｇ１と、この開口部７４Ｇ１の周囲から起立する平面視略Ｅ字状の上部導風部７４Ｇ２により構成されている。このうち、開口部７４Ｇ１は、上部導風部７４Ｇ２によって、光変調装置４４１Ｇの下方に冷却空気を導風する開口７４Ｇ１１と、光学変換板４４３の下方に冷却空気を導風する開口７４Ｇ１２とに分けられる。
この導風部７４Ｇには、下部導風部が形成されていない。この理由として、ダクト７３に形成されたリブ７３Ｃにより、光変調装置４４１Ｇに導風される冷却空気と、光学変換板に導風される冷却空気とに分流されることが挙げられる。また、リブ７３Ａによりダクト７３内の冷却流路が遮断されており、開口部７３１から流通する冷却空気は、送風圧によりダクト７３内の流路先端で、開口部７４Ｇ１から排出されることが挙げられる。このため、冷却空気は、下部導風部が形成されていなくても、導風部７４Ｇの開口部７４Ｇ１を介して、光変調装置４４１Ｇおよび光学変換板４４３に導風される。
【００９９】
導風部７４Ａは、開口部７３２からダクト７３内を流通し、リブ７３Ｂで分流された冷却空気を、部品収納部材４０１内に導風する部分である。この導風部７４Ａは、略矩形の開口部７４Ａ１と、この開口部７４Ａ１の周囲から起立した平面視略コ字状の上部導風部７４Ａ２から構成されている。ここで、下部導風部が形成されていないのは、導風部７４Ｇの場合と同様に、リブ７３Ｂにより冷却空気の流路が規定されていることに起因している。
なお、これら導風部７４Ｇ，７４Ａにおいても、冷却空気の流路および流通量に応じて、下部導風部を設けてもよい。
【０１００】
以下に、光学装置４４を冷却する冷却空気の流路を説明する。
図１３および図１４に示すように、シロッコファン７１，７２から送風された冷却空気は、ダクト７３および導風板７４を介して、それぞれの光変調装置４４１Ｒ，４４１Ｇ，４４１Ｂおよびこれらの後段に配置される光学変換板４４３の下方に送風される。ここで、前述のように、シロッコファン７１から送風され、開口部７３１からダクト７３内を流通する冷却空気は、導風板７４に形成された導風部７４Ｇの開口７４Ｇ１１，７４Ｇ１２を介して、光変調装置４４１Ｇおよび光学変換板４４３に導風される。また、シロッコファン７２から送風され、開口部７３２からダクト７３内を流通する冷却空気は、リブ７３Ｂで分流され、一方は、導風部７４Ｂ，７４Ｒの開口７４Ｂ１１，７４Ｂ１２，７４Ｒ１１，７４Ｒ１２を介して、光変調装置４４１Ｂ，４４１Ｒおよび該光変調装置４４１Ｂ，４４１Ｒの後段に配置された光学変換板４４３に導風され、他方は、導風部７４Ａの開口部７４Ａ１を介して、部品収納部材４０１内に導風される。
【０１０１】
図１５には、光学装置４４を冷却する冷却空気の流路を示す模式図である。なお、この図１５では、光学装置４４の各色光が入射する入射面を冷却する冷却流路のうち、赤色光入射面の冷却流路を示しているが、緑色光入射面および青色光入射面の冷却流路も略同じであるので、説明および図示を省略する。
シロッコファン７２（図３および図４参照）から送風された冷却空気は、開口部７３２（図１４参照）を介してダクト７３内を流通する。この冷却空気のうち、光学装置４４の下方を流通する冷却空気は、三方向に分流される。詳述すると、図１５に示すように、冷却空気は、導風板７４の導風部７４Ｂに形成された下部導風部７４Ｂ３によって開口７４Ｂ１１に導風される矢印Ａ１方向と、導風部７４Ｂの下部導風部７４Ｂ４によって開口７４Ｂ１２に導風される矢印Ｂ１方向と、ダクト７３内を流通して、光変調装置４４１Ｒ等を冷却する矢印Ｗ１方向とに分流される。
【０１０２】
矢印Ａ１方向に導風された冷却空気は、開口７４Ｂ１１を通過して、光変調装置４４１Ｂの光束入射側に向かって矢印Ａ２方向に流れ、光変調装置４４１Ｂに沿って上昇し、該光変調装置４４１Ｂの内部に収納された液晶パネル４４１Ｂ１の熱が伝導された第１保持枠４４７Ａの光束入射側の面を冷却する。この第１保持枠４４７Ａを冷却した冷却空気は、熱せられてさらに上昇し、矢印Ａ３方向に流れる。
【０１０３】
矢印Ｂ１方向に導風された冷却空気は、開口７４Ｂ１２を通過した後、矢印Ｂ２１方向と、矢印Ｂ２２方向とに分流される。
このうち、矢印Ｂ２１方向に流通する冷却空気は、光変調装置４４１Ｂの光束射出側の面と、幅方向端部から起立する面と、第２光学変換板４４３Ｂの光束入射面との間を流通する。すなわち、冷却空気は、光変調装置４４１Ｂの光束射出側の面と、第２光学変換板４４３Ｂの光束入射面と、放熱部材９の延出部９２（図６〜図８および図１０参照）とによって周囲が囲まれた冷却流路内を流通する。この際、この冷却空気は、光変調装置４４１の液晶パネルの熱が伝導された第１保持枠４４７Ａの幅方向の側面および第２保持枠４４７Ｂの光束射出側の面と、第２光学変換板４４３Ｂおよび保持部材４４８の光束入射側の面と、放熱部材９を冷却しつつ、これらに沿って上昇し、矢印Ｂ３方向に流通する。
【０１０４】
矢印Ｂ２２方向に流通する冷却空気は、第１光学変換板４４３Ａの光束入射面と第２光学変換板４４３Ｂの光束射出面と、放熱部材９の延出部９２とによって周囲が囲まれた冷却流路内を上方に向かって流通する。この際、この冷却空気は、保持部材４４８、第１光学変換板４４３Ａ、第２光学変換板４４３Ｂおよび放熱部材９を冷却するだけでなく、保持部材４４８が取り付けられるプリズム台座４４５を冷却する。これら光学部品４４３，４４５，４４８を冷却した冷却空気は、放熱ブロック４４６を冷却しつつ上昇し、矢印Ｂ３方向に流通する。
【０１０５】
矢印Ｂ３方向に流通する冷却空気は、矢印Ａ３方向に流れた冷却空気とともに、前述の制御基板５に沿って流通して、該制御基板５を冷却する。ここで、クロスダイクロイックプリズム４４４の赤色光入射面に配置された光変調装置４４１Ｒおよび光学変換板４４３を冷却した空気は、放熱ブロック４４６の突出部４４６１間を流通し、放熱ブロック４４６を冷却したのち、制御基板５に沿って流通する。この際、赤色光の強度は、他の色光の強度より低く設定されているので、赤色光入射面側を流通する冷却空気は、他の色光の入射面側を流通する冷却空気より温度上昇が抑えられる。従って、他の冷却空気よりも温度の低い冷却空気で放熱ブロック４４６を冷却することができる。
【０１０６】
ここで、矢印Ｂ２１，Ｂ２２方向に流通する冷却空気の流路は、放熱部材９の延出部９２により、第２光学変換板４４３Ｂおよび保持部材４４８の側面部４４８Ｂが覆われる。このため、延出部９２により、矢印Ｂ２１，Ｂ２２方向を流通する冷却空気の流路が規定され、冷却空気が周囲に拡散することを防ぐことができる。従って、放熱部材９により、冷却空気の損失を低減させることができるとともに、冷却流路内の冷却空気の流通を円滑にして、光学変換板４４３および光変調装置４４１Ｂを効率良く冷却することができる。また、これにより、光学変換板４４３および光変調装置４４１Ｂの破損、変性および熱劣化を抑えることができるので、製品寿命を延ばすことができるほか、光学像形成の安定化を図ることができる。
【０１０７】
また、光変調装置４４１Ｂおよび第２光学変換板４４３Ｂの熱が伝導される保持部材４４８と、この保持部材４４８、第１光学変換板４４３Ａおよびクロスダイクロイックプリズム４４４で発生した熱が伝導されるプリズム台座４４５および放熱ブロック４４６とを、冷却空気が冷却するように、該冷却空気の流路が形成されているので、これらを効率良く冷却して、光学像形成を一層安定化させることができる。
【０１０８】
さらに、光変調装置４４１Ｂおよび光学変換板４４３を冷却する冷却空気は、これら光変調装置４４１Ｂおよび光学変換板４４３の下方から送風される。これによれば、冷却空気は、熱を帯びて上昇し、上昇気流を発生させることができる。これによれば、冷却流路内の冷却空気を停滞させることなく一層円滑に流通させることができ、また、冷却流路の空気の流通量を増大させることができる。従って、これら光変調装置４４１、光学変換板４４３、プリズム台座４４５、放熱ブロック４４６および保持部材４４８を一層効率良く冷却することができる。
【０１０９】
〔２．第２実施形態〕
次に、本発明の第２実施形態に係る光学装置について説明する。第２実施形態の光学装置は、前述の第１実施形態の光学装置に対して、放熱部材の構造および配置において相違点を有する。なお、以下の説明では、既に説明した部分と同一または略同一である部分については、同一の符号を付して説明を省略する。
【０１１０】
図１６には、本発明の第２実施形態に係る光学装置４４Ａの斜視図が示されている。詳述すると、図１６には、光変調装置４４１Ｒを手前にして、下方から見た光学装置４４Ａの斜視図が示されている。なお、図１６において示される光変調装置４４１およびプリズム台座４４５は、図６〜図８において示した光変調装置４４１およびプリズム台座４４５と形状が若干異なるものの、構成および機能は略同じである。
この光学装置４４Ａの放熱部材９Ａは、図１６に示すように、光変調装置４４１（４４１Ｒ，４４１Ｇ，４４１Ｂ）の光束射出側の面に取り付けられる。
【０１１１】
図１７には、放熱部材９Ａを光束射出側の上方から見た斜視図が示されている。
放熱部材９Ａは、断面略コ字状の部材である。放熱部材９Ａは、光変調装置４４１（４４１Ｒ，４４１Ｇ，４４１Ｂ）に取り付けられ、該光変調装置４４１からの熱を放熱するとともに、光変調装置４４１と該光変調装置４４１の前段に配置された光学素子としての偏光板４４２とを冷却する冷却空気の流路を形成するための部材である。
この放熱部材９Ａは、図１７に示すように、略矩形の位置決め部９Ａ１と、この位置決め部９Ａ１の幅方向（図１７中Ｘ軸方向）両端部から面外方向に延出する延出部９Ａ２とを備えている。
なお、放熱部材９Ａは、前述の放熱部材９と同じ材料により形成することができる。
【０１１２】
位置決め部９Ａ１には、光変調装置４４１の光束射出側の面に熱伝導可能に当接され、放熱部材９Ａの位置決めをする位置決め面９Ａ１１と、光変調装置４４１から射出された光束が透過する開口部９Ａ１２と、ピンスペーサ４４９が挿通される２つの開口部９Ａ１３とが形成されている。
このうち、開口部９Ａ１２は、位置決め部９Ａ１の幅方向略中央で、かつ、下方に形成されている。すなわち、開口部９Ａ１２は、光変調装置４４１の光束射出面と略同じ位置に形成されている。また、開口部９Ａ１３は、位置決め部９Ａ１の幅方向両端部で、かつ、開口部９Ａ１２より上方に、それぞれ１つずつ形成されている。この開口部９Ａ１３には、光変調装置４４１におけるピンスペーサ４４９が挿通される部分が嵌合される。
【０１１３】
このような位置決め部９Ａ１により、放熱部材９Ａの光変調装置４４１に対する位置決めがされる。すなわち、位置決め面９Ａ１１が光変調装置４４１の光束射出側の面に当接されることにより、放熱部材９Ａの光変調装置４４１に対する照明光軸方向（Ｚ軸方向）の位置決めがされる。また、２つの開口部９Ａ１３に光変調装置４４１の一部が嵌合されることにより、幅方向（Ｘ軸方向）および高さ方向（Ｙ軸方向）の位置決めがされる。このような光変調装置４４１に対する位置決めがされた後、放熱部材９Ａは、光変調装置４４１に熱伝導可能に接着固定される。
【０１１４】
延出部９Ａ２は、前述の放熱部材９に形成された延出部９２と同様に、光変調装置４４１の下方に送風される冷却空気の流路を形成する部分である。すなわち、延出部９Ａ２は、光変調装置４４１および偏光板４４２の幅方向の側面を覆い、光変調装置４４１の下方から流通し、該光変調装置４４１および偏光板４４２を冷却する冷却空気の流路を形成する。この延出部９Ａ２は、位置決め部９Ａ１の位置決め面９Ａ１１の両端部から面外方向に、すなわち、光変調装置４４１の光束入射側に向かって延出し、互いに対向するように形成されている。
これら延出部９Ａ２の下端には、それぞれの延出部９Ａ２が近接する方向で、かつ、下方に延出して形成された第１の案内部としての案内部９Ａ２１がそれぞれ形成されている。この案内部９Ａ２１は、前述の導風板７４に形成された導風部７４Ｒ，７４Ｇ，７４Ｂの上部導風部７４Ｒ２，７４Ｇ２，７４Ｂ２を囲むように配置される。
【０１１５】
従って、このような構成の放熱部材９Ａを光変調装置４４１に取り付けることにより、放熱部材９が光変調装置４４１および光学変換板４４３に対して奏した効果と略同じ効果を、光変調装置４４１および偏光板４４２に対して奏することができる。
すなわち、光変調装置４４１の下方に配置された導風板７４の導風部７４Ｒ，７４Ｇ，７４Ｂから導風される冷却空気を、放熱部材９Ａに形成された案内部９Ａ２１が光変調装置４４１の光束入射側に案内することで、光変調装置４４１下方で拡散することによる冷却空気の損失量を低減させることができ、冷却空気を光変調装置４４１の光束入射側に確実に流通させることができる。また、この冷却空気を、該光変調装置４４１と、この光変調装置４４１の前段に配置された偏光板４４２の冷却に供することができるので、これら光変調装置４４１および偏光板４４２の冷却効率を向上することができる。
【０１１６】
また、前述の放熱部材９と同様に、放熱部材９Ａの延出部９Ａ２は、光変調装置４４１および偏光板４４２の幅方向の側面を覆うように形成・配置されるので、光変調装置４４１、偏光板４４２、放熱部材９Ａの延出部９Ａ２により、略筒状の冷却流路が形成される。これによれば、光変調装置４４１、偏光板４４２および放熱部材９Ａを冷却する冷却空気が拡散することを防ぐことができ、冷却空気の損失量を一層低減させることができるともに、光変調装置４４１の光束入射面と、偏光板４４２との間を流通する冷却空気の流れを円滑にすることができる。この冷却流路内の通風性は、これらの冷却に供された冷却空気が熱を帯びることによって上昇気流を発生させることにより、さらに向上する。従って、冷却空気の流通量を多くすることができ、冷却空気による光変調装置４４１および偏光板４４２を一層効率良く冷却することができる。
【０１１７】
〔３．第３実施形態〕
次に、本発明の第３実施形態に係る光学装置について説明する。第２実施形態の光学装置は、前述の第２実施形態の光学装置と略同じ構成を備えるが、放熱部材に形成された案内部の形成位置において相違点を有する。
【０１１８】
図１８には、本発明の第３実施形態に係る光学装置４４Ａの光変調装置４４１に取り付けられる放熱部材９Ｂを光束射出側の上方から見た斜視図が示されている。
放熱部材９Ｂは、前述の放熱部材９Ａと同様に、該放熱部材９Ｂが取り付けられる光変調装置４４１の熱を放熱するとともに、該光変調装置４４１および偏光板４４２の幅方向（図１８中Ｘ軸方向）の両側面を覆うことによって、下方から送風され、かつ、これら光変調装置４４１および偏光板４４２を冷却する冷却空気の流路を形成する部材である。
なお、放熱部材９Ｂは、前述の放熱部材９で示した材料を採用して形成することができる。
【０１１９】
放熱部材９Ｂには、位置決め部９Ｂ１と、延出部９Ｂ２と、案内部９Ｂ３とが形成されている。
このうち、位置決め部９Ｂ１は、放熱部材９Ａの位置決め部９Ａ１に対応する部分であり、位置決め面９Ａ１１および開口部９Ａ１２，９Ａ１３と略同じ位置に、光変調装置４４１の光束射出側の面に熱伝導可能に当接され、放熱部材９Ｂの位置決めを行う位置決め面９Ｂ１１および開口部９Ｂ１２，９Ｂ１３が形成されている。これらにより、光変調装置４４１に対する放熱部材９Ｂの位置決めがされる。
また、延出部９Ｂ２についても、位置決め部９Ｂ１の位置決め面９Ｂ１１の幅方向（Ｘ軸方向）両端部から面外方向（Ｚ軸方向とは反対方向）に延出して形成されている。なお、この延出部９Ｂ２は、放熱部材９Ａの延出部９Ａ２とは異なり、高さ方向（Ｙ軸方向）の寸法が、位置決め部９Ｂ１の高さ方向の寸法と略同じとされている。
【０１２０】
案内部９Ｂ３は、放熱部材９Ａの案内部９Ａ２１と同様に、導風板７４に形成された開口７４Ｒ１１，７４Ｇ１１，７４Ｂ１１から導風される冷却空気を、光変調装置４４１の光束入射側に案内するための部分である。この案内部９Ｂ３は、開口部９Ｂ１２の幅方向の寸法と略同じ幅方向の寸法で、位置決め部９Ｂ１の位置決め面９Ｂ１１とは反対側の面の下方（Ｙ軸方向とは反対方向）端部の略中央から略垂下して形成されている。
【０１２１】
このような構成の放熱部材９Ｂによれば、前述の第２実施形態の放熱部材９Ａと略同じ効果を奏することができる。
すなわち、導風板７４の開口７４Ｒ１１，７４Ｇ１１，７４Ｂ１１から光変調装置４４１（４４１Ｒ，４４１Ｇ，４４１Ｂ）の下方に導風される冷却空気は、放熱部材９Ｂの案内部９Ｂ３により、光変調装置４４１の光束入射側へと案内される。これにより、光変調装置４４１下方で拡散することによる冷却空気の損失量を低減させることができるほか、確実に冷却空気を光変調装置４４１および偏光板４４２との間に流通させることができる。従って、これら光変調装置４４１および偏光板４４２の冷却効率を向上することができる。
【０１２２】
また、放熱部材９Ｂに形成され、光変調装置４４１および偏光板４４２の幅方向の側面を覆う延出部９Ｂ２により、該光変調装置４４１および偏光板４４２を冷却する冷却空気の流路を形成することができる。すなわち、光変調装置４４１、偏光板４４２および放熱部材９Ｂにより略筒状の冷却流路を形成することができる。この冷却流路に冷却空気を流通させることにより、冷却空気の損失を抑えることができるとともに、冷却空気の通風性を向上することができるので、光変調装置４４１、偏光板４４２および放熱部材９Ｂの冷却効率を向上することができる。
さらに、冷却空気は、光変調装置の下方から供給されるので、光変調装置４４１、偏光板４４２および放熱部材９Ｂの冷却に供された冷却空気は、熱を帯びて上昇し、上昇気流を発生させるので、冷却空気の流通が一層促進される。
従って、該光変調装置４４１および偏光板４４２を冷却する冷却空気の流通量を増大させることができるので、これらの冷却効率を一層向上することができる。
【０１２３】
〔４．第４実施形態〕
次に、本発明の第４実施形態に係る光学装置について説明する。第４実施形態の光学装置は、前述の第２および第３実施形態の光学装置と略同じ構成を備えるが、光変調装置に取り付けられる放熱部材に形成された導風部の形成位置において相違点を有する。
【０１２４】
図１９には、本発明の第４実施形態に係る光学装置４４Ａの放熱部材９Ｃを光束射出側の上方から見た斜視図が示されている。
放熱部材９Ｃは、放熱部材９Ａ，９Ｂと同様に、光変調装置４４１の光束射出側の面に取り付けられ、該光変調装置４４１から伝導される熱を放熱するとともに、光変調装置４４１および偏光板４４２の幅方向側面を覆って、これらを冷却する冷却空気の流路を形成する部材である。
なお、放熱部材９Ｃは、前述の放熱部材９で示した材料を採用して形成することができる。
【０１２５】
この放熱部材９Ｃは、放熱部材９Ａ，９Ｂを合わせたような形状を有している。すなわち、放熱部材９Ｃには、図１９に示すように、位置決め部９Ｃ１、延出部９Ｃ２および第２案内部９Ｃ３が形成されている。
このうち、位置決め部９Ｃ１は、放熱部材９Ａの位置決め部９Ａ１に相当し、この位置決め部９Ｃ１には、位置決め部９Ａ１に形成された位置決め面９Ａ１１および開口部９Ａ１２，９Ａ１３と略同じ位置に、光変調装置４４１の光束射出側の面と熱伝導可能に接触する位置決め面９Ｃ１１および開口部９Ｃ１２，９Ｃ１３が形成されている。この位置決め面９Ｃ１１により、光変調装置４４１の熱が放熱部材９Ｃに伝導され、また、位置決め面９Ｃ１１および開口部９Ｃ１３により、光変調装置４４１に対する放熱部材９Ｃの位置決めがされる。
延出部９Ｃ２は、位置決め面９Ｃ１１の幅方向両端部から面外方向に起立し、それぞれ対向するように形成されている。この延出部９Ｃ２には、放熱部材９Ａの延出部９Ａ２に形成された案内部９Ａ２１と同様に、該延出部９Ｃ２の下端から、互いに近接する方向で、かつ、下方に向かって延出する第１案内部９Ｃ２１が形成されている。
第２案内部９Ｃ３は、放熱部材９Ｂに形成された案内部９Ｂ３と同様に、開口部９Ｃ１２の幅方向の寸法と略同じ幅方向の寸法で、位置決め部９Ｃ１の位置決め面９Ｃ１１とは反対側の面の下端略中央から垂下するように形成されている。
【０１２６】
このような構成の放熱部材９Ｃによれば、前述の放熱部材９Ａ，９Ｂと略同じ効果を奏することができる。
すなわち、導風板７４の開口７４Ｒ１１，７４Ｇ１１，７４Ｂ１１を囲むように、放熱部材９Ｃの第１案内部９Ｃ２１および第２案内部９Ｃ３が配置されるので、放熱部材９Ａ，９Ｂを用いた場合に比べ、開口７４Ｒ１１，７４Ｇ１１，７４Ｂ１１から供給された冷却空気のうち、より多くの冷却空気を、光変調装置４４１の光束入射側に導風することができる。これにより、より多くの冷却空気を、光変調装置４４１、偏光板４４２および放熱部材９の冷却に供することができるとともに、確実に冷却空気を光変調装置４４１および偏光板４４２との間に流通させることができる。従って、冷却流路を流通する冷却空気の流通量を多くでき、該光変調装置４４１および偏光板４４２の冷却効率を向上することができる。
【０１２７】
また、光変調装置４４１、偏光板４４２および放熱部材９Ｃの延出部９Ｃ２により、該光変調装置４４１および偏光板４４２を冷却する冷却空気の流路が形成される。この冷却流路は、これら光変調装置４４１、偏光板４４２および放熱部材９Ｃにより、上下が開口し、水平方向が囲まれた略筒状に形成される。これにより、冷却空気の損失量を低減させることができ、流路内を流通する冷却空気の流通量を増大させ、より多くの冷却空気を光変調装置４４１、偏光板４４２および放熱部材９Ｃの冷却に供することができる。
また、冷却流路が略筒状に形成されるので、冷却空気を停滞させることなく円滑に流通させることができる。
さらに、冷却に供された冷却空気は、熱を帯びて上昇する上昇気流を発生させるので、冷却空気の通風性が一層円滑に行われる。
従って、冷却空気の通風性を向上し、光変調装置４４１、偏光板４４２および放熱部材９Ｃの冷却に供される冷却空気を増加させて、光変調装置４４１および偏光板４４２の冷却効率を一層向上することができる。
【０１２８】
〔５．第５実施形態〕
次に、本発明の第５実施形態に係る光学装置について説明する。第５実施形態の光学装置は、前述の第１〜第４実施形態の光学装置と略同じ構成を備えるが、放熱部材が、光変調装置の光束入射面に取り付けられる第１放熱板と、光束射出面に取り付けられる第２放熱板とから構成されている点で相違する。
【０１２９】
図２０には、本発明の第５実施形態に係る放熱部材９Ｄの分解斜視図が示されている。
放熱部材９Ｄは、図２０に示すように、第１放熱板９Ｄ１と、第２放熱板９Ｄ２とから構成されている。このような第１放熱板９Ｄ１および第２放熱板９Ｄ２は、前述の放熱部材９と同じ材料により形成できる。
【０１３０】
第１放熱板９Ｄ１は、光変調装置４４１（４４１Ｒ，４４１Ｇ，４４１Ｂ）の光束入射側の面に取り付けられる部材であり、該光変調装置４４１の液晶パネル４４１Ｒ１，４４１Ｇ１，４４１Ｂ１で発生した熱が、第１保持枠４４７Ａを介して伝導され放熱される。
この第１放熱板９Ｄ１には、略矩形の位置決め部９Ｄ１１と、この位置決め部９Ｄ１１の幅方向（Ｘ軸方向）両端部から、面外方向に起立した延出部９Ｄ１２とが形成されている。
【０１３１】
位置決め部９Ｄ１１は、光変調装置４４１に対して第１放熱板９Ｄ１の位置決めを行う部分である。この位置決め部９Ｄ１１には、光変調装置４４１の光束入射面に熱伝導可能に当接される位置決め面９Ｄ１１１と、開口部９Ｄ１１２と、４つの孔９Ｄ１１３とが形成されている。
このうち、開口部９Ｄ１１２は、第１放熱板９Ｄ１が取り付けられる光変調装置４４１の第１保持枠４４７Ａに形成された開口部４４７Ａ１に対応する第１放熱板９Ｄ１の位置に、略同じ寸法で形成されている。この開口部９Ｄ１１２は、光変調装置４４１に入射する光束を透過させる開口であり、該光変調装置４４１の光束入射面を形成する開口（図示省略）と略同じ形状で形成されている。
孔９Ｄ１１３は、位置決め部９Ｄ１１を照明光軸方向（Ｚ軸方向）から見た場合に、該位置決め部９Ｄ１１の四隅部分に、位置決め部９Ｄ１１を貫通するように形成された孔である。この孔９Ｄ１１３は、光変調装置４４１を保持部材４４８に保持させるピンスペーサ４４９が挿通される孔である。
従って、位置決め面９Ｄ１１１、開口部９Ｄ１１２および孔９Ｄ１１３により、光変調装置４４１に対する第１放熱板９Ｄ１の位置決めがされ、第１放熱板９Ｄ１は、ピンスペーサ４４９に接着固定される。
【０１３２】
延出部９Ｄ１２は、位置決め部９Ｄ１１の位置決め面９Ｄ１１１とは反対側の面の幅方向両端部から面外方向（Ｚ軸方向の反対方向）に、それぞれ対向するように延出している。すなわち、これら延出部９Ｄ１２は、光変調装置４４１の前段に配置された偏光板４４２の幅方向の両側面を覆うように形成されている。
【０１３３】
第２放熱板９Ｄ２は、光変調装置４４１の光束射出側の面に取り付けられる部材であり、第１放熱板９Ｄ１と同様に、光変調装置４４１で発生した熱が、該光変調装置４４１の第２保持枠４４７Ｂを介して伝導され放熱される。
第２放熱板９Ｄ２には、第１放熱板９Ｄ１と同様に、略矩形の位置決め部９Ｄ２１と、この位置決め部９Ｄ１１の幅方向（Ｘ軸方向）両端部から、面外方向（Ｚ軸方向）に起立し、下方に延出した延出部９Ｄ２２とが形成されている。
【０１３４】
位置決め部９Ｄ２１は、光変調装置４４１の光束射出側の面に、第２放熱板９Ｄ２を位置決めする部分であり、該光変調装置４４１の光束射出側の面に熱伝導可能に当接される位置決め面９Ｄ２１１と、開口部９Ｄ２１２，９Ｄ２１３とが形成されている。
このうち、開口部９Ｄ２１２は、光変調装置４４１の第２保持枠４４７Ｂに形成された開口部４４７Ｂ１に対応する位置決め部９Ｄ２１の位置に形成されている。この開口部９Ｄ２１２は、光変調装置４４１から射出された光束を透過させる開口である。
開口部９Ｄ２１３は、開口部９Ｄ２１２の上方で、位置決め部９Ｄ２１の幅方向（Ｘ軸方向）両端部に形成されている。この開口部９Ｄ２１３には、光変調装置４４１の第２保持枠４４７Ｂに形成され、ピンスペーサ４４９が挿通される孔４４７Ｂ３が形成された部分が嵌合される。
従って、位置決め面９Ｄ２１１および開口部９Ｄ２１３により、光変調装置４４１に対する第２放熱板９Ｄ２の位置決めがされる。
【０１３５】
延出部９Ｄ２２は、前述のように、位置決め部９Ｄ２１の位置決め面９Ｄ２１１とは反対側の面の面外方向（Ｚ軸方向）に、それぞれ対向するように起立し、下方に延出した部分である。すなわち、この延出部９Ｄ２２は、光変調装置４４１の後段に配置された第２光学変換板４４３Ｂの幅方向の両側面を覆うように形成されている。この延出部９Ｄ２２の高さ方向（Ｙ軸方向）の長さ寸法は、第１放熱板９Ｄ１の高さ方向の長さ寸法と略同じとされている。
【０１３６】
このような構成の放熱部材９Ｄによれば、前述の第２〜第４実施形態の放熱部材９Ａ，９Ｂ，９Ｃと略同じ効果を奏することができるほか、以下のような効果を奏することができる。
すなわち、放熱部材９Ｄを光変調装置４４１に取り付けることにより、光変調装置４４１で発生した熱が、放熱部材９Ｄを構成する第１放熱板９Ｄ１および第２放熱板９Ｄ２に伝導されるので、光変調装置４４１の熱の放熱面積を増大させることができる。ここで、第１および第２放熱板９Ｄ１，９Ｄ２は、光変調装置４４１の光束入射側の面および光束射出側の面にそれぞれ取り付けられるので、光変調装置４４１の光束入射側の面および光束射出側の面を均質に冷却することができる。従って、光変調装置４４１の破損・熱劣化等を一層抑えることができ、製品寿命を延ばすことができるほか、安定した光学像の形成を実現できる。
【０１３７】
第１放熱板９Ｄ１の延出部９Ｄ１２は、光変調装置４４１の前段に配置された偏光板４４２の幅方向側面を覆う。また、第２放熱板９Ｄ２の延出部９Ｄ２２は、光変調装置４４１の光路上後段に配置された第２光学変換板４４３Ｂの幅方向側面を覆う。これにより、第１放熱板９Ｄ１と、偏光板４４２とにより、上下が開口し水平方向が囲まれた略筒状の冷却流路が形成される。同様に、第２放熱板９Ｄ２と、第２光学変換板４４３Ｂとにより、同様の略筒状の冷却空気の流路が形成される。
これによれば、光変調装置４４１の下方から供給され、該光変調装置４４１の光束入射側および光束射出側に分流された冷却空気を漏らさず光変調装置４４１，偏光板４４２、第２光学変換板４４３Ｂおよび放熱部材９Ｄの冷却に供することができる。また、冷却流路が略筒状に形成されるので、光変調装置４４１、光学部品４４２，４４３Ｂおよび放熱部材９Ｄを冷却する冷却空気の通風性を向上することができる。さらに、冷却に供された冷却空気は、熱を帯びて上昇気流を発生させるので、偏光板４４２と光変調装置４４１との間、および、光変調装置４４１と第２光学変換板４４３Ｂとの間を流通し、これら光変調装置４４１および光学部品４４２，４４３Ｂに沿って下方から上方に流れる冷却空気の通風性がさらに向上して、冷却空気の流通量を増加させることができる。
従って、これら光変調装置４４１および光学部品４４２，４４３Ｂの冷却を一層効率良くに行うことができる。
【０１３８】
〔６．実施形態の変形〕
なお、本発明は前述の各実施形態に限定されるものではなく、本発明の目的を達成できる範囲での変形、改良等は本発明に含まれるものである。
前記第２〜第４実施形態では、放熱部材９Ａ，９Ｂ，９Ｃに、光変調装置４４１の下方に配置され、該光変調装置４４１および偏光板４４２に冷却空気を送風するための導風板７４の開口部７４Ｒ１，７４Ｇ１，７４Ｂ１を囲む案内部９Ａ２１，９Ｂ３，９Ｃ２１，９Ｃ３を形成したが、このような案内部を第１および第５実施形態で示した放熱部材９，９Ｄに形成してもよい。この場合、放熱部材９Ａ，９Ｂ，９Ｃに形成した案内部９Ａ２１，９Ｂ３，９Ｃ２１，９Ｃ３と略同じ効果を奏することができる。
【０１３９】
前記第１実施形態では、放熱部材９を光変調装置４４１の光束入射側の面に取り付けたが、光束射出側の面に取り付けてもよい。この場合、光変調装置４４１および偏光板４４２を効果的に冷却することができる。また、前記第２〜第４実施形態では、放熱部材９Ａ，９Ｂ，９Ｃを光変調装置４４１の光束射出側の面に取り付けたが、光束入射側の面に取り付けてもよい。この場合、光変調装置４４１および光学変換板４４３を効率良く冷却することができる。
【０１４０】
前記第１〜第４実施形態では、放熱部材９，９Ａ，９Ｂ，９Ｃの幅方向端部から延出する延出部９２，９Ａ２，９Ｂ２，９Ｃ２は、照明光軸方向（Ｚ軸方向）または照明光軸方向とは反対方向に延出するとしたが、両方向に延出するように形成してもよい。この場合、それぞれの放熱部材９，９Ａ，９Ｂ，９Ｃを光変調装置４４１に取り付けることにより、該光変調装置４４１の前段および後段に配置された偏光板４４２および光学変換板４４３を、１つの放熱部材で冷却することができる。
【０１４１】
前記各実施形態では、光変調装置４４１Ｒ，４４１Ｇ，４４１Ｂのそれぞれに、放熱部材９，９Ａ，９Ｂ，９Ｃ，９Ｄを取り付けるとしたが、高温化が著しい色光が入射される光変調装置のみに取り付けるようにしてもよい。
【０１４２】
前記各実施形態では、３つの光変調装置４４１Ｒ，４４１Ｇ，４４１Ｂを用いたプロジェクタの例のみを挙げたが、４つ以上の光変調装置を用いたプロジェクタにも適用可能である。
また、前記各実施形態では、光変調装置４４１（４４１Ｒ，４４１Ｇ，４４１Ｂ）は、光変調素子として液晶パネル４４１Ｒ１，４４１Ｇ１，４４１Ｂ１を用いたが、マイクロミラーを用いたデバイスなど、液晶以外の光変調素子を用いてもよい。
さらに、前記各実施形態では、液晶パネルに、光入射面と光射出面とが異なる透過型の液晶パネルを用いていたが、光入射面と光射出面とが同一となる反射型の液晶パネルを用いてもよい。
加えて、前記各実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【産業上の利用可能性】
【０１４３】
本発明は、プロジェクタに利用できる他、入射される光束を画像情報に応じて変調して光学像を形成する光変調素子と、この光変調素子の前段または後段に配置され、入射される光束の光学変換を行う光学素子とを備える光学装置に利用できる。
【図面の簡単な説明】
【０１４４】
【図１】本発明の第１実施形態に係るプロジェクタを上方から見た斜視図。
【図２】前記実施形態におけるプロジェクタを下方から見た斜視図。
【図３】前記実施形態におけるプロジェクタの内部構成を表す斜視図。
【図４】前記実施形態におけるプロジェクタの内部構成を表す斜視図。
【図５】前記実施形態におけるプロジェクタの光学系の構造を表す模式図。
【図６】前記実施形態における光学装置を上方から見た斜視図。
【図７】前記実施形態における光学装置を下方から見た斜視図。
【図８】前記実施形態における光学装置の構造を示す分解斜視図。
【図９】前記実施形態における保持部材を光束入射側から見た斜視図。
【図１０】前記実施形態における放熱部材を光束入射側から見た斜視図。
【図１１】（Ａ）前記実施形態におけるプリズム台座を上方から見た斜視図。                （Ｂ）前記実施形態におけるプリズム台座を下方から見た斜視図。
【図１２】（Ａ）前記実施形態における放熱ブロックを上方から見た斜視図。                （Ｂ）前記実施形態における放熱ブロックを下方から見た斜視図。
【図１３】前記実施形態におけるダクトを下方から見た斜視図。
【図１４】前記実施形態におけるダクトおよび導風板を上方から見た斜視図。
【図１５】前記実施形態における冷却流路を示す模式図。
【図１６】本発明の第２実施形態に係る光学装置を示す斜視図。
【図１７】前記実施形態における放熱部材を光束射出側から見た斜視図。
【図１８】本発明の第３実施形態に係る放熱部材を示す斜視図。
【図１９】本発明の第４実施形態に係る放熱部材を示す斜視図。
【図２０】本発明の第５実施形態に係る放熱部材を示す斜視図。
【符号の説明】
【０１４５】
１…プロジェクタ、４４，４４Ａ…光学装置、４１１…光源装置、４４１（４４１Ｒ，４４１Ｇ，４４１Ｂ）…光変調装置、４４２…偏光板（光学素子）、４４３…光学変換板（光学素子）、４４３Ｂ…第２光学変換板（光学素子）、７…冷却手段、９，９Ａ，９Ｂ，９Ｃ，９Ｄ…放熱部材、９１，９Ａ１，９Ｂ１，９Ｃ１，９Ｄ１１，９Ｄ２１…位置決め部、９２，９Ａ２，９Ｂ２，９Ｃ２，９Ｄ１２，９Ｄ２２…延出部、９３…連結部、９Ａ１２，９Ｂ１２，９Ｃ１２，９Ｄ１１２，９Ｄ２１２…開口部、９Ａ２１…案内部（第１の案内部），９Ｂ３…案内部（第２の案内部）、９Ｃ２１…第１案内部（第１の案内部）、９Ｃ３…第２案内部（第２の案内部）。
【図１】
2005274744.tif 000003
【図２】
2005274744.tif 000004
【図３】
2005274744.tif 000005
【図４】
2005274744.tif 000006
【図５】
2005274744.tif 000007
【図６】
2005274744.tif 000008
【図７】
2005274744.tif 000009
【図８】
2005274744.tif 000010
【図９】
2005274744.tif 000011
【図１０】
2005274744.tif 000012
【図１１】
2005274744.tif 000013
【図１２】
2005274744.tif 000014
【図１３】
2005274744.tif 000015
【図１４】
2005274744.tif 000016
【図１５】
2005274744.tif 000017
【図１６】
2005274744.tif 000018
【図１７】
2005274744.tif 000019
【図１８】
2005274744.tif 000020
【図１９】
2005274744.tif 000021
【図２０】
2005274744.tif 000022